(57)【要約】  【課題】  低コストでフォトレジストに対する中間調露光を実現できる露光方法を得る。  【解決手段】  空間光変調素子により変調した光を発する露光ヘッド166を用いて感光性材料（例えばフォトレジストが塗布されたガラス基板150）に露光光を照射し、それにより該感光性材料150を所定パターンに露光する露光方法において、露光ヘッド166と感光性材料150とを副走査移動させ、この副走査移動を１つの感光性材料150に対して少なくとも２回行い、副走査移動の各回毎に空間光変調素子の動作を制御して、感光性材料150に露光量が少なくとも２段階に異なる露光域を形成する。【選択図】          図２
2007003861.tif 000002
【特許請求の範囲】
【請求項１】
空間光変調素子により変調した光を発する露光ヘッドを用いて感光性材料に露光光を照射し、それにより該感光性材料を所定パターンに露光する露光方法において、
前記露光ヘッドから発せられた露光光を、前記感光性材料上の所定方向に延びる領域に照射するとともに、
前記露光ヘッドと感光性材料とを、前記所定方向と略直交する方向に相対移動させ、
この相対移動を１つの感光性材料に対して少なくとも２回行い、
前記相対移動の各回毎に前記空間光変調素子の動作を制御して、該感光性材料に露光量が少なくとも２段階に異なる露光域を形成可能とした露光方法。
【請求項２】
前記空間光変調素子として、２次元的に並設された複数の画素を有する２次元空間光変調素子を用い、
副走査方向に連なる複数の前記画素からの光を、感光性材料の同一部分に重ねて照射することを特徴とする請求項１記載の露光方法。
【請求項３】
前記空間光変調素子としてＤＭＤ（デジタル・マイクロミラー・デバイス）を用いることを特徴とする請求項１または２記載の露光方法。
【請求項４】
前記感光性材料が、基材またはその上に形成された構造部材材料を加工するために、該基材または構造部材材料上に形成されたフォトレジストであることを特徴とする請求項１から３いずれか１項記載の露光方法。
【請求項５】
前記フォトレジストが、前記基材上に形成された比較的高感度の層と、さらにその上に形成された比較的低感度の層とからなる２層構造のものであることを特徴とする請求項４記載の露光方法。
【請求項６】
露光量が互いに異なる部分の前記フォトレジストの除去を段階的に行うことにより、２つ以上の構造部材を形成することを特徴とする請求項４または５記載の露光方法。
【請求項７】
前記基材がＬＣＤ−ＴＦＴパネルであり、前記構造部材材料がＴＦＴ回路を形成するためのものであることを特徴とする請求項４記載の露光方法。
【請求項８】
前記基材が導電膜であり、前記感光性材料が、前記基材上に形成された比較的高感度の層と、さらにその上に形成された比較的低感度の層とからなる２層構造のものであることを特徴とする請求項１から３いずれか１項記載の露光方法。
【請求項９】
前記感光性材料が、厚みが２段階以上に異なる部分を有して基材上に残される１種の構造部材材料であることを特徴とする請求項１から３いずれか１項記載の露光方法。
【請求項１０】
前記基材がＬＣＤ−ＴＦＴパネルであり、前記構造部材材料が、表面に凹凸を有して該パネル上に形成される反射部材の材料であることを特徴とする請求項９記載の露光方法。
【請求項１１】
前記感光性材料が、基材上に残される２種以上の構造部材材料であることを特徴とする請求項１から３いずれか１項記載の露光方法。
【請求項１２】
前記構造部材材料が、少なくとも前記基材上に形成された比較的高感度の層と、さらにその上に形成された比較的低感度の層の２層を有するものであることを特徴とする請求項１１記載の露光方法。
【請求項１３】
前記基材がＬＣＤ−ＣＦパネルであり、前記構造部材材料が、少なくともリブ材の材料と柱材の材料であることを特徴とする請求項１０から１２いずれか１項記載の露光方法。
【請求項１４】
前記基材がＬＣＤ−ＣＦパネルであり、前記構造部材材料が、少なくとも透過用ＲＧＢ部材の材料と反射用ＲＧＢ部材の材料であることを特徴とする請求項１０から１２いずれか１項記載の露光方法。
【請求項１５】
空間光変調素子により変調した露光光を感光性材料に照射して、該感光性材料を所定パターンに露光する露光装置において、
前記変調された露光光を、前記感光性材料上の所定方向に延びる領域に照射可能に形成された露光ヘッドと、
前記露光ヘッドと感光性材料とを、前記所定方向と略直交する方向に相対移動させる操作を、１つの感光性材料に対して少なくとも２回行うことができる副走査手段と、
前記相対移動の各回毎に前記空間光変調素子の動作を制御する露光量制御手段とを備えて、
前記感光性材料に露光量が少なくとも２段階に異なる露光域を形成可能とした露光装置。
【請求項１６】
前記空間光変調素子が、２次元的に並設された複数の画素を有する２次元空間光変調素子であることを特徴とする請求項１５記載の露光装置。
【請求項１７】
前記空間光変調素子がＤＭＤであることを特徴とする請求項１５または１６記載の露光装置。
【請求項１８】
支持体表面上の導電膜に、相対的に低感度の第一感光層と、高感度の第二感光層を重合して形成された感光性材料へ直線状に配列された複数の露光ヘッドから光ビームを結像し、前記露光ヘッドと感光性材料とを、前記複数の露光ヘッドを直線状に配列した方向と交差する副走査方向へ相対的に往復移動させて、前記感光性材料上の前記第一感光層及び第二感光層を露光する露光装置であって、
前記感光性材料上に形成させる画像元データを、低感度部画像データと高感度部画像データとに分離するデータ分離手段と、
前記低感度部画像データに基づいて前記感光性材料上の前記第一感光層を露光するための露光量、並びに前記高感度部画像データに基づいて前記感光性材料上の前記第二感光層を露光するための露光量をそれぞれ演算する露光量演算手段と、
前記露光量演算手段で演算した結果に基づいて、前記第一感光層と前記第二感光層の露光をそれぞれ前記露光ヘッドと感光性材料との相対移動における往路と復路とに分けて制御する露光制御手段と、
を有することを特徴とする露光装置。
【請求項１９】
支持体表面上の導電膜に、相対的に低感度の第一感光層と、高感度の第二感光層を重合して形成された感光性材料へ直線状に配列された複数の露光ヘッドから光ビームを結像し、前記露光ヘッドと感光性材料とを、前記複数の露光ヘッドを直線状に配列した方向と交差する副走査方向へ相対的に往復移動させて、前記感光性材料上の前記第一感光層及び第二感光層を露光する露光装置であって、
前記感光性材料上にプリント配線を形成させる画像元データであるプリント配線図データを、前記感光性材料の表裏面を貫通するスルーホールの位置に関するスルーホール部画像データと、前記感光性材料上に形成される配線パターンに関する配線パターン部画像データとに分離するデータ分離手段と、
前記スルーホール部画像データに基づいて前記感光性材料上の前記第一感光層を露光するための露光量、並びに前記配線パターン部画像データに基づいて前記感光性材料上の前記第二感光層を露光するための露光量をそれぞれ演算する露光量演算手段と、
前記露光量演算手段で演算した結果に基づいて、前記第一感光層と前記第二感光層の露光をそれぞれ前記露光ヘッドと感光性材料との相対移動における往路と復路とに分けて制御する露光制御手段と、
を有することを特徴とする露光装置。
【請求項２０】
前記露光ヘッドから出力される前記光ビームの光量が一定であり、
前記露光制御手段が、前記露光ヘッドと前記感光性材料とを副走査方向へ相対的に移動させる副走査速度を、往路と復路とで変更することを特徴とする前記請求項２１または請求項２２記載の露光装置。
【請求項２１】
前記露光ヘッドと前記感光性材料とが副走査方向へ相対的に移動する往路と復路との副走査速度が一定であり、
前記露光制御手段が、前記露光ヘッドから出力される前記光ビームの光量を、前記第一感光層の露光では最大光量とし、前記第二感光層の露光では最大光量の１／ｎ（ｎは正の整数）とすることをすることを特徴とする前記請求項２１または請求項２２記載の露光装置。
【請求項２２】
前記露光制御手段が、前記スルーホール部画像データの露光において、前記感光性材料上に点在している前記スルーホールの間を露光せずに増速して移動することを特徴とする前記請求項１９から２１いずれか１項記載の露光装置。
【発明の詳細な説明】
【技術分野】
【０００１】
本発明は露光方法および装置に関し、特に詳細には、空間光変調素子により変調した光をフォトレジスト等の感光性材料に照射して、該感光性材料を所定パターンに露光する露光方法および装置に関するものである。
【背景技術】
【０００２】
従来、例えばＬＣＤ（液晶表示装置）用ＴＦＴ（薄膜トランジスタ）の製造等において、フォトリソグラフィー（以下、フォトリソという）工程が広く適用されている。このＴＦＴ製造等におけるフォトリソ工程は、基本的に、金属や半導体の成膜工程を経たガラス基板上にフォトレジスト薄層を塗布し、所定のパターンが形成されたマスクを通した露光光で該フォトレジストを露光し、次いでフォトレジストを現像処理して所定のレジストパターンを形成する、というものである。
【０００３】
このようなフォトリソ工程に対しては、例えばＬＣＤのコストダウンの要求に応えるために、工程数の削減が求められている。そうするための露光方法の一つとして、例えば特許文献１に記載がある、中間調露光を適用するものが知られている。この露光方法は、露光光の強度をマスク面内で複数段階に変えることができる露光マスクを使用するもので、１回の露光でフォトレジストに露光量が相異なる露光域を形成することができ、したがってその後の現像処理を経ると、パターンに応じて厚みが何段階かに制御されたレジストを残すことが可能となる。
【０００４】
また特許文献２にはフォトリソ工程を利用して、ＴＦＴパネル上に構造部材を加工する方法において、上記と同様に中間調露光を適用して、厚みが互いに異なる複数の構造部材を形成する方法が開示されている。
【０００５】
また非特許文献１には、基材としてのＬＣＤ−ＴＦＴパネル上に、他の透過部よりも厚みを大とした反射部材を設けた構造において、その反射部材の表面に光の散乱効果を高める微細凹凸を形成したものが示されている。従来このような構造は、一旦フォトリソ工程によって反射部材を形成した後、その表面に微細凹凸を加工することによって形成されている。
【０００６】
また特許文献３には、フォトマスクを用いずに、変調された光ビームによるエッチング技術を応用して、回路基板上に積層方向に光配線回路を複数段形成する方法が開示されている。この方法においては、上記光ビームによる露光量を変えることにより、複数段の光配線回路を形成するようにしている。
【特許文献１】特開２０００−２０６５７１号公報
【特許文献２】特開２００２−３５０８９７号公報
【特許文献３】特開２００４−０６２１５７号公報
【非特許文献１】「シャープ技報」第８５号  ２００３年４月  ｐ３４〜３５
【発明の開示】
【発明が解決しようとする課題】
【０００７】
上述の特許文献１に記載された中間調露光を適用する露光方法は、１回の露光で、通常のマスクを使用する露光複数回分のプロセスを実現できるので、フォトリソ工程の削減に寄与するものとなっている。
【０００８】
しかしこの露光方法は、中間調露光を実現するために、間隔が非常に狭いスリット状の開口パターンを有する特殊なマスクを必要とするものであり、その種のマスクには、中間調露光をしない通常のマスクにおけるパターン精度が±０．５μｍ程度であるのに対し、その半分以下の精度が求められる。そのような高精細マスクは非常に高価であり、よってそれを用いる露光方法は、実施に当たって当然高いコストを要するものとなる。
【０００９】
上述のような問題は、同様に中間調露光を適用して厚みが互いに異なる複数の構造部材を形成するようにした、特許文献２に記載の方法においても同様に認められるものである。
【００１０】
他方、非特許文献１に示されるように、基材上にフォトリソ工程によってある部材を形成した後、その表面に微細凹凸を加工する方法においては、構造が複雑化するので、それが製品コストを高める要因になるという問題が認められる。
【００１１】
また特許文献３には、１回の副走査により多段階の露光量で感光性材料を露光する方法が開示されているが、多段の露光階調を実現するためには、露光対象の最大露光パワーを出力できるように光源出力を制御する必要がある。そして、最大出力が必要な画像部分が、全体の数％の領域しか占めていないような場合もあり、その場合には、ＤＭＤのように照明光を使用する光学系では、露光パワーを無駄に消費してしまうという問題が懸念される。
【００１２】
また、多段の露光階調を１回の副走査で実現するためには、１つの露光ポイントに階調のあるデータを割り当てる必要があるので、データ処理量が数倍に及んでしまい、処理速度の確保が問題となる。
【００１３】
本発明は上記の事情に鑑みてなされたものであり、低コストでフォトレジスト等の感光性材料に対する中間調露光を実現できる露光方法、およびその方法を実施する露光装置を提供することを目的とする。
【課題を解決するための手段】
【００１４】
本発明による露光方法は、
空間光変調素子により変調した光を発する露光ヘッドを用いて感光性材料に露光光を照射し、それにより該感光性材料を所定パターンに露光する露光方法において、
前記露光ヘッドから発せられた露光光を、前記感光性材料上の所定方向に延びる領域に照射するとともに、
前記露光ヘッドと感光性材料とを、前記所定方向と略直交する方向に相対移動させ、
この相対移動を１つの感光性材料に対して少なくとも２回行い、
前記相対移動の各回毎に前記空間光変調素子の動作を制御して、該感光性材料に露光量が少なくとも２段階に異なる露光域を形成可能としたことを特徴とするものである。
【００１５】
なお、この本発明による露光方法においては、空間光変調素子として、２次元的に並設された複数の画素を有する２次元空間光変調素子を用い、副走査方向に連なる複数の前記画素からの光を、感光性材料の同一部分に重ねて照射することが望ましい。
【００１６】
また上記空間光変調素子としてより具体的には、ＤＭＤ（デジタル・マイクロミラー・デバイス）を用いることが望ましい。
【００１７】
他方、本発明による露光方法において露光対象とする感光性材料は、基材またはその上に形成された構造部材材料を加工するために、該基材または構造部材材料上に形成されたフォトレジストであることが望ましい。
【００１８】
そのようなフォトレジストとしては、前記基材上に形成された比較的高感度の層と、さらにその上に形成された比較的低感度の層とからなる２層構造のものが好適に用いられ得る。
【００１９】
また、上述のようなフォトレジストを露光対象とする場合は、露光量が互いに異なる部分のフォトレジストの除去を段階的に行うことにより、２つ以上の構造部材を形成することも可能となる。
【００２０】
また、上記の基材がＬＣＤ−ＴＦＴパネルである場合、構造部材材料はＴＦＴ回路を形成するためのものであってもよい。
【００２１】
また、基材が導電膜である場合、感光性材料としては、基材上に形成された比較的高感度の層と、さらにその上に形成された比較的低感度の層とからなる２層構造のものが好適に用いられ得る。
【００２２】
また本発明の露光方法において露光対象とする感光性材料は、厚みが２段階以上に異なる部分を有して基材上に残される１種の構造部材材料であってもよい。
【００２３】
より具体的に、上記基材として好適なものとしてはＬＣＤ−ＴＦＴパネルが挙げられ、構造部材材料としては、表面に凹凸を有して該パネル上に形成される反射部材の材料が挙げられる。
【００２４】
また本発明の露光方法において露光対象とする感光性材料は、基材上に残される２種以上の構造部材材料であってもよい。
【００２５】
そのような構造部材材料は、少なくとも前記基材上に形成された比較的高感度の層と、さらにその上に形成された比較的低感度の層の２層を有するものであることが望ましい。
【００２６】
また、より具体的に上記基材としてはＬＣＤ−ＣＦ（カラーフィルタ）パネルが挙げられ、その場合の構造部材材料としては、少なくともリブ材の材料と柱材の材料を挙げることができる。
【００２７】
また、上記基材がＬＣＤ−ＣＦ（カラーフィルタ）パネルである場合の構造部材材料としては、その他に、少なくとも透過用ＲＧＢ部材の材料と反射用ＲＧＢ部材の材料も挙げることができる。
【００２８】
一方、本発明による第１の露光装置は、
空間光変調素子により変調した露光光を感光性材料に照射して、該感光性材料を所定パターンに露光する露光装置において、
前記変調された露光光を、前記感光性材料上の所定方向に延びる領域に照射可能に形成された露光ヘッドと、
前記露光ヘッドと感光性材料とを、前記所定方向と略直交する方向に相対移動させる操作を、１つの感光性材料に対して少なくとも２回行うことができる副走査手段と、
前記相対移動の各回毎に前記空間光変調素子の動作を制御する露光量制御手段とを備えて、
前記感光性材料に露光量が少なくとも２段階に異なる露光域を形成可能とした露光装置。
【００２９】
なお上記空間光変調素子は、２次元的に並設された複数の画素を有する２次元空間光変調素子であることが望ましい。
【００３０】
さらに、より具体的に上記空間光変調素子としては、ＤＭＤを好適に用いることができる。
【００３１】
また、本発明による第２の露光装置は、
支持体表面上の導電膜に、相対的に低感度の第一感光層と、高感度の第二感光層を重合して形成された感光性材料へ直線状に配列された複数の露光ヘッドから光ビームを結像し、前記露光ヘッドと感光性材料とを、前記複数の露光ヘッドを直線状に配列した方向と交差する副走査方向へ相対的に往復移動させて、前記感光性材料上の前記第一感光層及び第二感光層を露光する露光装置であって、
前記感光性材料上に形成させる画像元データを、低感度部画像データと高感度部画像データとに分離するデータ分離手段と、
前記低感度部画像データに基づいて前記感光性材料上の前記第一感光層を露光するための露光量、並びに前記高感度部画像データに基づいて前記感光性材料上の前記第二感光層を露光するための露光量をそれぞれ演算する露光量演算手段と、
前記露光量演算手段で演算した結果に基づいて、前記第一感光層と前記第二感光層の露光をそれぞれ前記露光ヘッドと感光性材料との相対移動における往路と復路とに分けて制御する露光制御手段と、
を有することを特徴とするものである。
【００３２】
また、本発明による第３の露光装置は、
支持体表面上の導電膜に、相対的に低感度の第一感光層と、高感度の第二感光層を重合して形成された感光性材料へ直線状に配列された複数の露光ヘッドから光ビームを結像し、前記露光ヘッドと感光性材料とを、前記複数の露光ヘッドを直線状に配列した方向と交差する副走査方向へ相対的に往復移動させて、前記感光性材料上の前記第一感光層及び第二感光層を露光する露光装置であって、
前記感光性材料上にプリント配線を形成させる画像元データであるプリント配線図データを、前記感光性材料の表裏面を貫通するスルーホールの位置に関するスルーホール部画像データと、前記感光性材料上に形成される配線パターンに関する配線パターン部画像データとに分離するデータ分離手段と、
前記スルーホール部画像データに基づいて前記感光性材料上の前記第一感光層を露光するための露光量、並びに前記配線パターン部画像データに基づいて前記感光性材料上の前記第二感光層を露光するための露光量をそれぞれ演算する露光量演算手段と、
前記露光量演算手段で演算した結果に基づいて、前記第一感光層と前記第二感光層の露光をそれぞれ前記露光ヘッドと感光性材料との相対移動における往路と復路とに分けて制御する露光制御手段と、
を有することを特徴とするものである。
【００３３】
なお、上記第２および第３の露光装置においては、
前記露光ヘッドから出力される前記光ビームの光量が一定であり、
前記露光制御手段が、前記露光ヘッドと前記感光性材料とを副走査方向へ相対的に移動させる副走査速度を、往路と復路とで変更するように構成されていることが好ましい。
【００３４】
あるいは、上記第２および第３の露光装置において、
前記露光ヘッドと前記感光性材料とが副走査方向へ相対的に移動する往路と復路との副走査速度が一定であり、
前記露光制御手段が、前記露光ヘッドから出力される前記光ビームの光量を、前記第一感光層の露光では最大光量とし、前記第二感光層の露光では最大光量の１／ｎ（ｎは正の整数）とするように構成されていることも望ましい。
【００３５】
また、上記第３の露光装置においては、前記露光制御手段が、前記スルーホール部画像データの露光において、前記感光性材料上に点在している前記スルーホールの間を露光せずに増速して移動するように構成されていることが望ましい。
【発明の効果】
【００３６】
本発明の露光方法においては、露光ヘッドと感光性材料との相対移動つまり露光光の副走査を１つの感光性材料に対して少なくとも２回行うようにしたので、感光性材料に露光量が少なくとも２段階に異なる露光域を形成することが可能となる。すなわち、例えば副走査を２回行う場合には、感光性材料のＡという領域には１回の副走査においてのみ露光光を照射し、Ｂという領域には２回の副走査のいずれにおいても露光光を照射するようにすれば、Ａ領域は露光量が比較的少ない状態に、またＢ領域は露光量が比較的多い状態に露光することが可能となる。
【００３７】
そのようにすれば、前述したような高精細マスク、さらには露光マスクそのものが不要となるので、感光性材料に対する中間調露光を低コストで実現可能となる。こうして、感光性材料に露光量が相異なる露光域を形成することができれば、その後の現像処理を経て、パターンに応じて厚みが何段階かに制御されたレジストや、構造部材を残すことが可能となる。
【００３８】
また本発明の露光方法においては、複数回の露光により多段の露光量を得るようにしているから、光源パワーを低くすることができ、かつ、その消費量を少なく抑えることができる。また複数回露光を行うようにしても、同じデータ量、計算速度で露光可能となるので、画像処理パフォーマンスを最適に設計可能となり、装置のコストダウンが実現される。
【００３９】
また本発明の露光方法において、特に前記空間光変調素子として、２次元的に並設された複数の画素を有する２次元空間光変調素子を用い、副走査方向に連なる複数の前記画素からの光を、感光性材料の同一部分に重ねて照射するようにした場合は、１回の副走査当たりで感光性材料に照射できる露光量をより多くすることができる。例えば、副走査方向に２つの画素が連なる２次元空間光変調素子を用い、その１画素から感光性材料に照射できる露光量をＥxとすると、感光性材料の同一部分に１回の副走査で２Ｅxの露光量を与えることができるから、２回の副走査では最大４Ｅxの露光量を与えることが可能となる。
【００４０】
なお、そのような２次元空間光変調素子を用い、１回の副走査において上記２個の画素の駆動を露光パターンに応じて制御すれば、１回の副走査だけで、２段階に異なる露光域を形成することが可能である。しかしその場合の最大露光量は２Ｅxに留まることになるので、大きな露光量を確保する上では、本発明方法の方が有利であると言える。
【００４１】
一方、本発明による第１の露光装置は、変調された露光光を感光性材料上の所定方向に延びる領域に照射可能に形成された露光ヘッドと、露光ヘッドと感光性材料とを相対移動させて露光光を副走査させる手段と、各回の副走査毎に空間光変調素子の動作を制御する露光量制御手段とを備えたことにより、上記低コストの中間調露光方法を実施可能となる。
【００４２】
また、本発明による第２の露光装置において、画像分離手段は、感光性材料上に画像を形成する画像元データを第一感光層を感光させる領域に関する低感度部画像データと、第二感光層を感光させる領域に関する高感度部画像データとに分離し、露光量演算手段では、分離した低感度部画像データに基づいて低感度の第一感光層を感光させるために必要な露光量、並びに高感度部画像データに基づいて高感度の第二感光層を感光させるために必要な露光量をそれぞれ演算する。
【００４３】
露光制御手段は、前記露光量演算手段で演算した必要露光量に基づき、露光ヘッドが感光性材料に対して往復移動する往路と復路とに分けて低感度部画像データを低感度の第一感光層へ、高感度部画像データを高感度の第二感光層へそれぞれ露光する。すなわち、露光ヘッドが感光性材料に対して一往復することにより、感光性材料上へ低感度部画像データと高感度部画像データとが共に露光される。なお、低感度部画像データを第一感光層へ感光させると重合されている第二感光層も感光する。
【００４４】
このように、露光制御手段によって露光処理を往路と復路とに分けることで低感度部画像データを第一感光層へ、高感度部画像データを第二感光層へそれぞれ感光させる露光量に調整することができる。また、露光制御手段によって露光処理を往路と復路とに分けて時間的にずらすことで互いの干渉を回避でき、それぞれ最適な露光処理が可能となる。
【００４５】
また、本発明による第３の露光装置において、画像分離手段は、プリント配線を形成する元データであるプリント配線図データを感光性材料のスルーホールの位置に関するスルーホール部画像データと、実際の配線に関する配線パターン部画像データとに分離し、露光量演算手段では、分離したスルーホール部画像データに基づいて低感度の第一感光層を感光させるために必要な露光量、並びに配線パターン部画像データに基づいて高感度の第二感光層を感光させるために必要な露光量をそれぞれ演算する。
【００４６】
そして露光制御手段は、前記露光量演算手段で演算した必要露光量に基づき、露光ヘッドが感光性材料に対して往復移動する往路と復路とに分けてスルーホール部画像データを低感度の第一感光層へ、配線パターン部画像データを高感度の第二感光層へそれぞれ露光する。すなわち、露光ヘッドが感光性材料に対して一往復することにより、感光性材料上へスルーホール部画像データと配線パターン部画像データとが共に露光される。なお、スルーホール部画像データを第一感光層へ感光させると重合されている第二感光層も感光する。
【００４７】
このように、露光制御手段によって露光処理を往路と復路とに分けることでスルーホール部を第一感光層へ、配線パターンを第二感光層へそれぞれ感光させる露光量に調整することができる。よって、露光量を調整するため光源数を増減させる必要が無くなり、光源数の増加による露光装置のコストアップを抑えることができる。
【００４８】
ここで、高解像度の画像が要求される配線パターン部画像領域では、薄い肉厚の感光層（第二感光層）を適用し、テント性（被膜保護性）を要求されるスルーホール部画像領域では、厚い肉厚の感光層（第一感光層）を適用することで、それぞれの要求にあった露光が可能となる。
【００４９】
以上説明した通り本発明による第２および第３の露光装置では、露光処理を往路、復路に分けて感光性材料への露光を制御することにより、光源数を増減させることなく重層感光層が塗布された感光性材料上への露光量を増減させ、高感度部画像（例えば、高解像度が必要なプリントパターン部画像）と、低感度部画像（例えば、スルーホール内壁及び周縁の銅箔保護が必要なスルーホール部画像）とを露光することができるという優れた効果を有する。
【００５０】
また、特に上記第２あるいは第３の露光装置において、露光ヘッドから出力される光ビームの光量が一定であり、露光制御手段が、露光ヘッドと感光性材料とを副走査方向へ相対的に移動させる副走査速度を、往路と復路とで変更するように構成されている場合は、露光ヘッドから出力される光ビームの光量が一定であっても、副走査速度を速くすることで露光量を減らして第二感光層を感光させ、副走査速度を遅くすることで露光量を増やして第一感光層を感光させることができる。なお、この第一感光層が感光すると重合されている第二感光層も感光する。
【００５１】
よって、露光ヘッドと感光性材料とが往復移動する往路と復路とで副走査速度を変化させることにより、光源数を増減させることなく感光性材料上への露光量を増減させることができる。
【００５２】
また、特に上記第２あるいは第３の露光装置において、露光ヘッドと感光性材料とが副走査方向へ相対的に移動する往路と復路との副走査速度が一定であり、露光制御手段が、露光ヘッドから出力される光ビームの光量を、前記第一感光層の露光では最大光量とし、前記第二感光層の露光では最大光量の１／ｎ（ｎは正の整数）とするように構成されていれば、往路と復路との副走査速度が一定であっても、露光制御手段による画像データを第一感光層へ露光する場合は、露光ヘッドから出力される光ビームの光量を最大にして露光量を増やし、低感度の第一感光層をより早く感光させることができる。
【００５３】
一方、画像データを第二感光層へ露光する場合は、例えば、露光ヘッドに設けたフィルタ等によって光ビームの光量を１／ｎ（ｎは正の整数）に減らして露光量を減らし、第二感光層のみを感光させる。露光ヘッドからの光量を減らすことにより、光源数を減少させることなく露光量を減らすことができる。
【００５４】
よって、露光ヘッドと感光性材料とが往復移動する往路と復路との副走査速度が一定であっても、光ビームの光量を増減させることにより、光源数を増減させることなく感光性材料上への露光量を増減させることができる。
【００５５】
また、特に上記第３の露光装置において、露光制御手段が、前記スルーホール部画像データの露光において、前記感光性材料上に点在している前記スルーホールの間を露光せずに増速して移動するように構成された場合、スルーホールは感光性材料の任意の位置に点在しており、スルーホール部画像データの露光処理では、点在するスルーホールの位置のみを露光する。よって、スルーホールの位置以外を露光しないため、スルーホールの位置以外での副走査速度を増加させる。この増速により、スルーホール部画像データ全体を感光性材料上へ露光する処理時間が短縮し、生産性を向上させることができる。
【００５６】
なお以下に、本発明に適用される感光性材料（重層感光材料、プリント配線基板（感光性材料））について説明する。
【００５７】
（重層感光材料（ＤＦＲ）について）
本発明に適用される重層感光材料（ＤＦＲ）は、バインダーポリマー、エチレン性不飽和結合含有モノマー、及び光重合開始剤を含む感光性樹脂組成物からなる層が少なくとも２層以上有し、相対的に低感度の第一感光層、相対的に高感度の第二感光層がこの順に積層されており、以下、ドライフィルムフォトレジスト（ＤＦＲ）という。このＤＦＲの組成の条件を列挙する。
【００５８】
（１）  前記第一感光層（低感度層）は、その厚さ寸法が５０μｍ以下であり、第二感光層（高感度層）は、その厚さ寸法が１〜１０μｍ以下であり（後述の図３６参照）、第一感光層の方が、第二感光層よりも厚い。
【００５９】
（２）  第二感光層を硬化させるために必要な光量Ａと、第一感光層を硬化させるために必要な光量Ｂとの比Ａ／Ｂが０．０１〜０．５の範囲にある（後述の図３６参照）。
【００６０】
（３）  第二感光層を硬化させるために必要な光量Ａと第一感光層の硬化が始まるまでに必要な光量Ｃとの差Ｃ−Ａが、第二感光層を硬化させるために必要な光量Ａの１０倍より少ない量である。
【００６１】
（４）  第二感光層を硬化させるために必要な光量Ａと、第一感光層の硬化が始まるまでに必要な光量Ｃとの差Ｃ−Ａが、１００ｍＪ／ｃｍ2以下である。
【００６２】
（５）  第一感光層及び第二感光層が、互いに同一のバインダーポリマー、エチレン性不飽和結合含有モノマー、及び光重合開始剤を含み、第二感光層が第一感光層よりも光重合開始剤を多く含む。
【００６３】
（６）  第二感光層が、さらに増感剤を含む。
【００６４】
上記のようにＤＦＲは、例えば、第二感光層の光重合開始剤の含有量を第一感光層よりも多くする、或いは第二感光層に増感剤を添加することにより得ることができる。
【００６５】
ＤＦＲにおいて用いるバインダーポリマーは、アルカリ性水溶液に可溶性であるか、或いはアルカリ性水溶液との接触により少なくとも膨潤する性質を持つ共重合体であることが好ましい。
【００６６】
エチレン性不飽和結合含有モノマーの好適な例としては、少なくとも２個のエチレン不飽和二重結合を有する化合物である（以下、多官能モノマーと言う）。例えば、このような多官能モノマーの例としては、特公昭３６−５０９３号公報、特公昭３５−１４７１９号公報、特公昭４４−２８７２７号公報等に記載される化合物を挙げることができる。
【００６７】
光重合開始剤としては、芳香族ケトン、米国特許第２３６７６６０号明細書に開示されているピシナルポリケタドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、米国特許第３５４９３６７号明細書に記載のトリアリールイミダゾール二量体とｐ−アミノケトンの組合せ、特公昭５１−４８５１６号公報に記載のベンゾチアゾール化合物とトリハロメチル−ｓ−トリアジン化合物、米国特許第４２３９８５０号明細書に記載されているトリハロメチル−ｓ−トリアジン化合物、米国特許第４２１２９７６号明細書に記載されているトリハロメチルオキサジアゾール化合物等を挙げることができる。
【００６８】
本発明に適用されるＤＦＲでは、感光層に増感剤を添加してもよい。増感剤は、通常は第二感光層にのみ添加する。ＤＦＲでは、感光層ロイコ色素を含むことができる。また、ＤＦＲには、感光層を着色させたり、保存安定性を付与したりする目的に染料を用いることができる。
【００６９】
ＤＦＲの第一感光層と第二感光層との密着性、或いは第二感光層とプリント基板形成用基板との密着性を向上させるために、感光層に公知の所謂密着促進剤を用いることができる。
【００７０】
支持体として用いられるのは、ポリエチレンテレフタレート、ポリエチレンナフタレート、ポリプロピレン、ポリエチレン、三酢酸セルロース、二酢酸セルロース、ポリ（メタ）アクリル酸アルキルエステル、ポリ（メタ）アクリル酸エステル共重合体、ポリ塩化ビニル、ポリビニルアルコール、ポリカーボネート、ポリスチレン、セロファン、ポリ塩化ビニルデン共重合体、ポリアミド、ポリイミド、塩化ビニル、酢酸ビニル共重合体、ポリテトラフロロエチレン、ポリトリフロロエチレン等の各種のプラスチックフィルムを挙げることができる。さらに、これらの二種以上からなる複合材料も使用することができる。
【００７１】
ＤＦＲは、第二感光層の上に、さらに保護フィルムを設けることができる。上記保護フィルムの例としては、前記支持体に使用されるものの他、紙、或いはポリエチレン、ポリプロピレンがラミネートされた紙等を挙げることができる。特に、ポリエチレンフィルム、ポリプロピレンフィルムが好ましい。
【００７２】
（ＤＦＲ層を持つプリント配線基板（感光性材料）の製造方法の原理について）
以下に、本発明に適用されるＤＦＲ層を持つプリント配線基板の製造方法の原理について説明する。
【００７３】
内壁に銅めっき層を供えた直径３ｍｍのスルーホールを有し、表面が研磨、乾燥した銅層で覆われた、ポリエチレンフィルムを剥離したＤＦＲの第二感光層を重ね、ヒートロールラミネーターを用いて、気泡が入らないように圧着し、胴張積層板、第二感光層、第一感光層、そしてポリエチレンテレフタレートフィルムがこの順で積層された積層体を得る。
【００７４】
得られた積層体のポリエチレンテレフタレートフィルムの上から、波長４０５ｎｍの青色レーザ光源を有する露光装置を用いて、銅張積層板の配線パターン形成領域に、４ｍＪ／ｃｍ2の光を所定のパターン上に照射して、露光する。一方、銅張積層板のスルーホールの開口部及びその周囲領域に、４０ｍＪ／ｃｍ2の光を照射して、感光層を露光する。
【００７５】
露光後、積層体からポリエチレンテレフタレートフィルムを剥がし取り、次いで、濃度１質量％の炭酸ナトリウム水溶液を第二感光層表面にスプレーして、第一感光層及び第二感光層の未硬化領域を溶解除去して、硬化層レリーフを得る。
【００７６】
銅張積層板の硬化層パターンを観察したところ、配線パターン形成領域上の硬化層、及びスルーホール開口部上の硬化層に剥がれや破れなどの欠陥は見られなかった。また、硬化層の厚さを測定したところ、配線パターン形成領域上の硬化層の厚さは５μｍであり、スルーホール開口部上の硬化層の厚さは３０μｍであった。
【００７７】
次いで、銅張積層板の表面に、塩化鉄エッチャント（塩化第一鉄含有エッチング溶液）をスプレー塗布して、硬化層で覆われていない露出した領域の銅層を溶解除去し、次いで、第２質量％の水酸化ナトリウム水溶液をスプレーして硬化層レリーフを除去して、スルーホールを有し、表面に配線パターン状の銅層を備えたプリント配線板を得る。得られたプリント配線板のスルーホール部を目視で観察したところ、スルーホール内壁の銅めっき層に異常は見られなかった。
【発明を実施するための最良の形態】
【００７８】
以下、図面を参照して、本発明の一実施形態による露光装置について説明する。
【００７９】
［露光装置の構成］
この露光装置は、図１に示すように、表面に薄層状のフォトレジスト150ａが塗布されたガラス基板150を表面に吸着して保持する平板状の移動ステージ152を備えている。４本の脚部154に支持された厚い板状の設置台156の上面には、ステージ移動方向に沿って延びた２本のガイド158が設置されている。ステージ152は、その長手方向がステージ移動方向を向くように配置されると共に、ガイド158によって往復移動可能に支持されている。なお、この露光装置には、副走査手段としてのステージ152をガイド158に沿って駆動する後述のステージ駆動装置304（図１５参照）が設けられている。
【００８０】
設置台156の中央部には、ステージ152の移動経路を跨ぐようにコ字状のゲート160が設けられている。コ字状のゲート160の端部の各々は、設置台156の両側面に固定されている。このゲート160を挟んで一方の側にはスキャナ162が設けられ、他方の側にはガラス基板150の先端、後端および基板上のパターンを検知する複数（例えば２個）のセンサ164が設けられている。スキャナ162およびセンサ164はゲート160に各々取り付けられて、ステージ152の移動経路の上方に固定配置されている。なお、スキャナ162およびセンサ164は、これらを制御する図示しないコントローラに接続されている。
【００８１】
スキャナ162は、図２および図３（Ｂ）に示すように、ｍ行ｎ列（例えば３行５列）の略マトリックス状に配列された複数（例えば１４個）の露光ヘッド166を備えている。この例では、ガラス基板150の幅との関係で、３行目には４個の露光ヘッド166を配置してある。なお、ｍ行目のｎ列目に配列された個々の露光ヘッドを示す場合は、露光ヘッド166mnと表記する。
【００８２】
露光ヘッド166による露光エリア168は、副走査方向を短辺とする矩形状である。従って、ステージ152の移動に伴い、ガラス基板150上のフォトレジスト150ａには露光ヘッド166毎に帯状の露光済み領域170が形成される。なお、ｍ行目のｎ列目に配列された個々の露光ヘッドによる露光エリアを示す場合は、露光エリア168mnと表記する。
【００８３】
また、図３（Ａ）および（Ｂ）に示すように、帯状の露光済み領域170が副走査方向と直交する方向に隙間無く並ぶように、ライン状に配列された各行の露光ヘッドの各々は、配列方向に所定間隔（露光エリアの長辺の自然数倍、本例では２倍）ずらして配置されている。このため、１行目の露光エリア16811と露光エリア16812との間の露光できない部分は、２行目の露光エリア16821と３行目の露光エリア16831とにより露光することができる。
【００８４】
露光ヘッド16611〜166mnの各々は、図４および図５に示すように、入射された光ビームを画像データに応じて各画素毎に変調する空間光変調素子として、米国テキサス・インスツルメンツ社製のデジタル・マイクロミラー・デバイス（ＤＭＤ）50を備えている。このＤＭＤ50は、データ処理部とミラー駆動制御部とを備えた後述のＤＭＤドライバ428（図１５参照）に接続されている。このＤＭＤドライバ428のデータ処理部では、入力された画像データに基づいて、各露光ヘッド166毎にＤＭＤ50の制御すべき領域内の各マイクロミラーを駆動制御する制御信号を生成する。なお、制御すべき領域については後述する。また、ミラー駆動制御部では、画像データ処理部で生成した制御信号に基づいて、各露光ヘッド166毎にＤＭＤ50の各マイクロミラーの反射面の角度を制御する。なお、反射面の角度の制御については後述する。
【００８５】
ＤＭＤ50の光入射側には、光ファイバの出射端部（発光点）が露光エリア168の長辺方向と対応する方向に沿って一列に配列されたレーザ出射部を備えたファイバアレイ光源66、ファイバアレイ光源66から出射されたレーザ光を補正してＤＭＤ上に集光させるレンズ系67、このレンズ系67を透過したレーザ光をＤＭＤ50に向けて反射するミラー69がこの順に配置されている。なお図４では、レンズ系67を概略的に示してある。
【００８６】
上記レンズ系67は、図５に詳しく示すように、ファイバアレイ光源66から出射した照明光としてのレーザ光Ｂを集光する集光レンズ71、この集光レンズ71を通過した光の光路に挿入されたロッド状オプティカルインテグレータ（以下、ロッドインテグレータという）72、およびこのロッドインテグレータ72の前方つまりミラー69側に配置された結像レンズ74から構成されている。ロッドインテグレータ72は、ファイバアレイ光源66から出射したレーザ光を、平行光に近くかつビーム断面内強度が均一化された光束としてＤＭＤ50に入射させる。このロッドインテグレータ72の形状や作用については、後に詳しく説明する。
【００８７】
上記レンズ系67から出射したレーザ光Ｂはミラー69で反射し、ＴＩＲ（全反射）プリズム70を介してＤＭＤ50に照射される。なお図４では、このＴＩＲプリズム70は省略してある。
【００８８】
またＤＭＤ50の光反射側には、ＤＭＤ50で反射されたレーザ光Ｂを、フォトレジスト150ａ上に結像する結像光学系51が配置されている。この結像光学系51は図４では概略的に示してあるが、図５に詳細を示すように、レンズ系52，54からなる第１結像光学系と、レンズ系57，58からなる第２結像光学系と、これらの結像光学系の間に挿入されたマイクロレンズアレイ55と、マスク板59とから構成されている。
【００８９】
マイクロレンズアレイ55は、ＤＭＤ50の各画素に対応する多数のマイクロレンズ55ａが２次元状に配列されてなるものである。本例では、後述するようにＤＭＤ50の１０２４個×７６８列のマイクロミラーのうち１０２４個×２５６列だけが駆動されるので、それに対応させてマイクロレンズ55ａは１０２４個×２５６列配置されている。またマイクロレンズ55ａの配置ピッチは縦方向、横方向とも４１μｍである。このマイクロレンズ55ａは、一例として焦点距離が０．１９ｍｍ、ＮＡ（開口数）が０．１１で、光学ガラスＢＦ７から形成されている。なおマイクロレンズ55ａの形状については、後に詳しく説明する。そして、各マイクロレンズ55ａの位置におけるレーザ光Ｂのビーム径は、３．４μｍである。
【００９０】
また上記マスク板59は、透明な板状部材の上に、マイクロレンズアレイ55の１つのマイクロレンズ55ａ毎に開口を有する遮光性マスク59ａが形成されてなるものであり、マイクロレンズ55ａの焦点位置近傍に配置されている。このマスク板59により、ＤＭＤ50のオフ光の回り込み光や、マイクロミラー62間からの迷光をカットすることができる。
【００９１】
上記第１結像光学系は、ＤＭＤ50による像を３倍に拡大してマイクロレンズアレイ55上に結像する。そして第２結像光学系は、マイクロレンズアレイ55を経た像を１．６倍に拡大してガラス基板150上のフォトレジスト150ａに結像、投影する。したがって全体では、ＤＭＤ50による像が４．８倍に拡大してフォトレジスト150ａに結像、投影されることになる。
【００９２】
なお本例では、第２結像光学系とガラス基板150との間にプリズムペア73が配設され、このプリズムペア73を図５中で上下方向に移動させることにより、ガラス基板150上のフォトレジスト150ａにおける像のピントを調節可能となっている。なお同図中において、ガラス基板150は矢印Ｆ方向に副走査送りされる。
【００９３】
ＤＭＤ50は図６に示すように、ＳＲＡＭセル（メモリセル）60上に、各々画素（ピクセル）を構成する多数（例えば１０２４個×７６８個）の微小ミラー（マイクロミラー）62が格子状に配列されてなるミラーデバイスである。各ピクセルにおいて、最上部には支柱に支えられた矩形のマイクロミラー62が設けられており、マイクロミラー62の表面にはアルミニウム等の反射率の高い材料が蒸着されている。なお、マイクロミラー62の反射率は９０％以上であり、その配列ピッチは縦方向、横方向とも一例として１３．７μｍである。また、マイクロミラー62の直下には、ヒンジおよびヨークを含む支柱を介して通常の半導体メモリの製造ラインで製造されるシリコンゲートのＣＭＯＳのＳＲＡＭセル60が配置されており、全体はモノリシックに構成されている。
【００９４】
ＤＭＤ50のＳＲＡＭセル60にデジタル信号が書き込まれると、支柱に支えられたマイクロミラー62が、対角線を中心としてＤＭＤ50が配置された基板側に対して±α度（例えば±１２度）の範囲で傾けられる。図７（Ａ）は、マイクロミラー62がオン状態である＋α度に傾いた状態を示し、図７（Ｂ）は、マイクロミラー62がオフ状態である−α度に傾いた状態を示す。したがって、画像信号に応じて、ＤＭＤ50の各ピクセルにおけるマイクロミラー62の傾きを、図６に示すように制御することによって、ＤＭＤ50に入射したレーザ光Ｂはそれぞれのマイクロミラー62の傾き方向へ反射される。
【００９５】
なお図６には、ＤＭＤ50の一部を拡大し、マイクロミラー62が＋α度または−α度に制御されている状態の一例を示す。それぞれのマイクロミラー62のオン・オフ制御は、ＤＭＤ50に接続された前記コントローラ302によって行われる。また、オフ状態のマイクロミラー62で反射したレーザ光Ｂが進行する方向には、光吸収体（図示せず）が配置されている。
【００９６】
また、ＤＭＤ50は、その短辺が副走査方向と所定角度θ（例えば、１°〜５°）を成すように僅かに傾斜させて配置するのが好ましく、本実施形態でもそのようにされている。図８（Ａ）はＤＭＤ50を傾斜させない場合の各マイクロミラーによる反射光像（露光ビームスポット）53の走査軌跡を示し、図８（Ｂ）はＤＭＤ50を傾斜させた場合の露光ビームスポット53の走査軌跡を示している。
【００９７】
ＤＭＤ50には、長手方向にマイクロミラーが多数個（例えば１０２４個）配列されたマイクロミラー列が、短手方向に多数組（例えば７５６組）配列されているが、図８（Ｂ）に示すように、ＤＭＤ50を傾斜させることにより、各マイクロミラーによる露光ビームスポット53の走査軌跡（走査線）のピッチＰ1が、ＤＭＤ50を傾斜させない場合の走査線のピッチＰ2より狭くなり、解像度を大幅に向上させることができる。一方、ＤＭＤ50の傾斜角は微小であるので、ＤＭＤ50を傾斜させた場合の走査幅Ｗ2と、ＤＭＤ50を傾斜させない場合の走査幅Ｗ1とは略同一である。
【００９８】
また、それぞれのマイクロミラー62は、副走査方向に隣接する露光ビームスポットが互いに主走査方向に微小量（例えば０．１〜０．５μｍ程度）ずれるように配置されている。露光ビームスポットの径は５〜２０μｍ程度で、スポット配置間隔よりも大きいため、ＤＭＤ50の２画素以上を部分的にオーバーラップさせた状態で、フォトレジスト150が露光（多重露光）されることになる。
【００９９】
このように、多重露光されることで、露光位置の微少量をコントロールすることができ、高精細な露光を実現することができる。また、主走査方向に配列された複数の露光ヘッドの間のつなぎ目を微少量の露光位置制御により段差無くつなぐことができる。
【０１００】
なお、ＤＭＤ50を傾斜させる代わりに、各マイクロミラー列を副走査方向と直交する方向に所定間隔ずらして千鳥状に配置しても、同様の効果を得ることができる。
【０１０１】
ファイバアレイ光源66は図９ａに示すように、複数（例えば１４個）のレーザモジュール64を備えており、各レーザモジュール64には、マルチモード光ファイバ30の一端が結合されている。マルチモード光ファイバ30の他端には、コア径がマルチモード光ファイバ30と同一で且つクラッド径がマルチモード光ファイバ30より小さい光ファイバ31が結合されている。図９ｂに詳しく示すように、マルチモード光ファイバ31の光ファイバ30と反対側の端部は副走査方向と直交する主走査方向に沿って７個並べられ、それが２列に配列されてレーザ出射部68が構成されている。
【０１０２】
マルチモード光ファイバ31の端部で構成されるレーザ出射部68は、図９ｂに示すように、表面が平坦な２枚の支持板65に挟み込まれて固定されている。また、マルチモード光ファイバ31の光出射端面には、その保護のために、ガラス等の透明な保護板が配置されるのが望ましい。マルチモード光ファイバ31の光出射端面は、光密度が高いため集塵し易く劣化し易いが、上述のような保護板を配置することにより、端面への塵埃の付着を防止し、また劣化を遅らせることができる。
【０１０３】
本例では図１０に示すように、クラッド径が大きいマルチモード光ファイバ30のレーザ光出射側の先端部分に、長さ１〜３０ｃｍ程度のクラッド径が小さい光ファイバ31が同軸的に結合されている。それらの光ファイバ30，31は、それぞれのコア軸が一致する状態で光ファイバ31の入射端面を光ファイバ30の出射端面に融着することにより結合されている。上述した通り、光ファイバ31のコア31ａの径は、マルチモード光ファイバ30のコア30ａの径と同じ大きさである。
【０１０４】
マルチモード光ファイバ30および光ファイバ31としては、ステップインデックス型光ファイバ、グレーテッドインデックス型光ファイバ、および複合型光ファイバの何れも適用可能である。例えば、三菱電線工業株式会社製のステップインデックス型光ファイバを用いることができる。本例において、マルチモード光ファイバ30および光ファイバ31はステップインデックス型光ファイバであり、マルチモード光ファイバ30は、クラッド径＝１２５μｍ、コア径＝５０μｍ、ＮＡ＝０．２、入射端面コートの透過率＝９９．５％以上であり、光ファイバ31は、クラッド径＝６０μｍ、コア径＝５０μｍ、ＮＡ＝０．２である。
【０１０５】
ただし、光ファイバ31のクラッド径は６０μｍには限定されない。従来のファイバ光源に使用されている多くの光ファイバのクラッド径は１２５μｍであるが、クラッド径が小さくなるほど焦点深度がより深くなるので、マルチモード光ファイバのクラッド径は８０μｍ以下が好ましく、６０μｍ以下がより好ましく、４０μｍ以下がさらに好ましい。一方、コア径は少なくとも３〜４μｍ必要であることから、光ファイバ31のクラッド径は１０μｍ以上が好ましい。
【０１０６】
レーザモジュール64は、図１１に示す合波レーザ光源（ファイバ光源）によって構成されている。この合波レーザ光源は、ヒートブロック10上に配列固定された複数（例えば７個）のチップ状の横マルチモードまたはシングルモードのＧａＮ系半導体レーザＬＤ１，ＬＤ２，ＬＤ３，ＬＤ４，ＬＤ５，ＬＤ６，およびＬＤ７と、ＧａＮ系半導体レーザＬＤ１〜ＬＤ７の各々に対応して設けられたコリメータレンズ11，12，13，14，15，16および17と、１つの集光レンズ20と、１本のマルチモード光ファイバ30とから構成されている。なお、半導体レーザの個数は７個に限定されるものではなく、その他の個数が採用されてもよい。また、上述のような７個のコリメータレンズ11〜17に代えて、それらのレンズが一体化されてなるコリメータレンズアレイを用いることもできる。
【０１０７】
ＧａＮ系半導体レーザＬＤ１〜ＬＤ７は、発振波長が総て共通（例えば、４０５ｎｍ）であり、最大出力も総て共通（例えばマルチモードレーザでは１００ｍＷ、シングルモードレーザでは５０ｍＷ程度）である。なお、ＧａＮ系半導体レーザＬＤ１〜ＬＤ７としては、３５０ｎｍ〜４５０ｎｍの波長範囲において、上記４０５ｎｍ以外の波長で発振するレーザを用いてもよい。
【０１０８】
上記の合波レーザ光源は、図１２および図１３に示すように、他の光学要素と共に、上方が開口した箱状のパッケージ40内に収納されている。パッケージ40は、その開口を閉じるように作成されたパッケージ蓋41を備えており、脱気処理後に封止ガスを導入し、パッケージ40の開口をパッケージ蓋41で閉じることにより、それらによって形成される閉空間（封止空間）内に上記合波レーザ光源が気密封止されている。
【０１０９】
パッケージ40の底面にはベース板42が固定されており、このベース板42の上面には、前記ヒートブロック10と、集光レンズ20を保持する集光レンズホルダー45と、マルチモード光ファイバ30の入射端部を保持するファイバホルダー46とが取り付けられている。マルチモード光ファイバ30の出射端部は、パッケージ40の壁面に形成された開口からパッケージ外に引き出されている。
【０１１０】
また、ヒートブロック10の側面にはコリメータレンズホルダー44が取り付けられており、そこにコリメータレンズ11〜17が保持されている。パッケージ40の横壁面には開口が形成され、この開口を通してＧａＮ系半導体レーザＬＤ１〜ＬＤ７に駆動電流を供給する配線47がパッケージ外に引き出されている。
【０１１１】
なお、図１３においては、図の煩雑化を避けるために、複数のＧａＮ系半導体レーザのうちＧａＮ系半導体レーザＬＤ７にのみ番号を付し、複数のコリメータレンズのうちコリメータレンズ17にのみ番号を付している。
【０１１２】
図１４は、上記コリメータレンズ11〜17の取り付け部分の正面形状を示すものである。コリメータレンズ11〜17の各々は、非球面を備えた円形レンズの光軸を含む領域を平行な平面で細長く切り取った形状に形成されている。この細長形状のコリメータレンズは、例えば、樹脂または光学ガラスをモールド成形することによって形成することができる。コリメータレンズ11〜17は、長さ方向がＧａＮ系半導体レーザＬＤ１〜ＬＤ７の発光点の配列方向（図１４の左右方向）と直交するように、上記発光点の配列方向に密接配置されている。
【０１１３】
一方ＧａＮ系半導体レーザＬＤ１〜ＬＤ７としては、発光幅が２μｍの活性層を備え、活性層と平行な方向、直角な方向の拡がり角が各々例えば１０°、３０°の状態で各々レーザ光Ｂ１〜Ｂ７を発するレーザが用いられている。これらＧａＮ系半導体レーザＬＤ１〜ＬＤ７は、活性層と平行な方向に発光点が１列に並ぶように配設されている。
【０１１４】
したがって、各発光点から発せられたレーザ光Ｂ１〜Ｂ７は、上述のように細長形状の各コリメータレンズ11〜17に対して、拡がり角度が大きい方向が長さ方向と一致し、拡がり角度が小さい方向が幅方向（長さ方向と直交する方向）と一致する状態で入射することになる。つまり、各コリメータレンズ11〜17の幅が１．１ｍｍ、長さが４．６ｍｍであり、それらに入射するレーザ光Ｂ１〜Ｂ７の水平方向、垂直方向のビーム径は各々０．９ｍｍ、２．６ｍｍである。また、コリメータレンズ11〜17の各々は、焦点距離ｆ1＝３ｍｍ、ＮＡ＝０．６、レンズ配置ピッチ＝１．２５ｍｍである。
【０１１５】
集光レンズ20は、非球面を備えた円形レンズの光軸を含む領域を平行な平面で細長く切り取って、コリメータレンズ11〜17の配列方向、つまり水平方向に長く、それと直角な方向に短い形状に形成されている。この集光レンズ20は、焦点距離ｆ2＝２３ｍｍ、ＮＡ＝０．２である。この集光レンズ20も、例えば樹脂または光学ガラスをモールド成形することにより形成される。
【０１１６】
次に図１５を参照して、本実施形態の露光装置における電気的な構成について説明する。ここに示されるように全体制御部300には、前記ステージ152を駆動するステージ駆動装置304と、露光制御部422とが接続されている。露光制御部422にはドットパターンデータ作成部418が接続され、そしてこのドットパターンデータ作成部418には、データ入力部412を介してプリントパターンデータを受ける画像データ生成部414が接続されている。また露光制御部422には複数のヘッドアッセンブリ428Ａおよび、複数の光源ユニット430が接続されている。各ヘッドアッセンブリ428Ａは、前述のＤＭＤ50と、それを駆動するＤＭＤドライバ428とを備えてなるものである。一方各光源ユニット430は、前述のレーザモジュール64と、それを駆動する光源ドライバ424とから構成されている。
【０１１７】
［露光装置の動作］
次に、上記露光装置の動作について説明する。スキャナ162の各露光ヘッド166において、ファイバアレイ光源66の合波レーザ光源を構成するＧａＮ系半導体レーザＬＤ１〜ＬＤ７（図１１参照）の各々から発散光状態で出射したレーザ光Ｂ１，Ｂ２，Ｂ３，Ｂ４，Ｂ５，Ｂ６，およびＢ７の各々は、対応するコリメータレンズ11〜17によって平行光化される。平行光化されたレーザ光Ｂ１〜Ｂ７は、集光レンズ20によって集光され、マルチモード光ファイバ30のコア30ａの入射端面上で収束する。
【０１１８】
本例では、コリメータレンズ11〜17および集光レンズ20によって集光光学系が構成され、その集光光学系とマルチモード光ファイバ30とによって合波光学系が構成されている。すなわち、集光レンズ20によって上述のように集光されたレーザ光Ｂ１〜Ｂ７が、このマルチモード光ファイバ30のコア30ａに入射して光ファイバ内を伝搬し、１本のレーザ光Ｂに合波されてマルチモード光ファイバ30の出射端部に結合された光ファイバ31から出射する。
【０１１９】
各レーザモジュールにおいて、レーザ光Ｂ１〜Ｂ７のマルチモード光ファイバ30への結合効率が０．９で、ＧａＮ系半導体レーザＬＤ１〜ＬＤ７の各出力が５０ｍＷの場合には、アレイ状に配列された光ファイバ31の各々について、出力３１５ｍＷ（＝５０ｍＷ×０．９×７）の合波レーザ光Ｂを得ることができる。したがって、１４本のマルチモード光ファイバ31全体では、４．４Ｗ（＝０．３１５Ｗ×１４）の出力のレーザ光Ｂが得られる。
【０１２０】
露光に際しては、図１５に示すようにプリントパターンデータがデータ入力部412を介して画像データ生成部414に入力される。画像データ生成部414は入力されたプリントパターンデータに基づいて画像データを生成し、それをドットパターンデータ作成部418へ送出する。ドットパターンデータ作成部418は、画像データをドットパターンデータに変換し、そのドットパターンデータを露光データとして露光制御部422へ送出する。この露光データは、画像を構成する各画素の濃度を例えば３値（高濃度ドット記録、低濃度ドット記録、ドット記録無し）で表したデータであり、露光制御部422のフレームメモリに一旦記憶される。
【０１２１】
露光制御部422は、処理開始タイミング（例えば図１に示す移動ステージ152の移動開始時期）に基づいて光源ユニット430の光源ドライバ424へ点灯信号を送出し、光源ドライバ424はその点灯信号に基づいてレーザモジュール64を点灯させる。
【０１２２】
一方露光制御部422は、露光開始のタイミングに、露光データに基づいて複数のヘッドアッセンブリ428ＡのＤＭＤドライバ428を制御して、ＤＭＤ50にオン／オフ信号を送出させる。ＤＭＤ50は、このオン／オフ信号に基づいて駆動される。
【０１２３】
ガラス基板150を表面に吸着したステージ152は、図１５に示す副走査手段としてのステージ駆動装置304により、ガイド158に沿ってゲート160の上流側から下流側に一定速度で移動される。なおこのステージ駆動装置304の動作は、全体制御部300によって制御される。ステージ152がゲート160下を通過する際に、ゲート160に取り付けられたセンサ164によりガラス基板150の先端が検出されると、上記フレームメモリに記憶された画像データが複数ライン分ずつ順次読み出され、読み出された画像データに基づいて各露光ヘッド166毎に制御信号が生成される。そしてＤＭＤドライバ428により、生成された制御信号に基づいて各露光ヘッド166毎にＤＭＤ50のマイクロミラーの各々がオン・オフ制御される。なお本例の場合、１画素部となる上記マイクロミラーのサイズは１４μｍ×１４μｍである。
【０１２４】
ファイバアレイ光源66からＤＭＤ50にレーザ光Ｂが照射されると、ＤＭＤ50のマイクロミラーがオン状態のときに反射されたレーザ光は、レンズ系54、58によりガラス基板150上のフォトレジスト150ａに照射される。このようにして、ファイバアレイ光源66から出射されたレーザ光が画素毎にオン・オフされて、フォトレジスト150ａが露光される。また、ガラス基板150がステージ152と共に一定速度で移動されることにより、フォトレジスト150ａがスキャナ162によりステージ移動方向と反対の方向に副走査され、各露光ヘッド166毎に帯状の露光済み領域170が形成される。
【０１２５】
なお本例では、図１６（Ａ）および（Ｂ）に示すように、ＤＭＤ50には、主走査方向にマイクロミラーが１０２４個配列されたマイクロミラー列が副走査方向に７６８組配列されているが、本例では、コントローラ302により一部のマイクロミラー列（例えば、１０２４個×２５６列）だけが駆動するように制御がなされる。
【０１２６】
この場合、図１６（Ａ）に示すようにＤＭＤ50の中央部に配置されたマイクロミラー列を使用してもよく、図１６（Ｂ）に示すように、ＤＭＤ50の端部に配置されたマイクロミラー列を使用してもよい。また、一部のマイクロミラーに欠陥が発生した場合は、欠陥が発生していないマイクロミラー列を使用するなど、状況に応じて使用するマイクロミラー列を適宜変更してもよい。
【０１２７】
ＤＭＤ50のデータ処理速度には限界があり、使用する画素数に比例して１ライン当りの変調速度が決定されるので、一部のマイクロミラー列だけを使用することで１ライン当りの変調速度が速くなる。一方、連続的に露光ヘッドを露光面に対して相対移動させる露光方式の場合には、副走査方向の画素を全部使用する必要はない。したがって、副走査方向の解像度を上げたり、副走査速度を上げる場合には、必要な変調速度に応じて使用する画素数（マイクロミラー数）を決定し、副走査方向の画素数を必要な数に設定し、露光システムを決定する。
【０１２８】
ここで、図５に示したファイバアレイ光源66、集光レンズ71、ロッドインテグレータ72、結像レンズ74、ミラー69およびＴＩＲプリズム70から構成されてＤＭＤ50に照明光としてのレーザ光Ｂを照射する照明光学系について説明する。ロッドインテグレータ72は例えば四角柱状に形成された透光性ロッドであり、その内部をレーザ光Ｂが全反射しながら進行するうちに、該レーザ光Ｂのビーム断面内強度分布が均一化される。なお、ロッドインテグレータ72の入射端面、出射端面には反射防止膜がコートされて、透過率が高められている。以上のようにして、照明光であるレーザ光Ｂのビーム断面内強度分布を高度に均一化できれば、照明光強度の不均一を無くして、高精細な画像をフォトレジスト150ａに露光可能となる。
【０１２９】
スキャナ162によるフォトレジスト150ａに対する露光光の副走査が終了し、センサ164でガラス基板150の後端が検出されると、ステージ152は、ステージ駆動装置304により、ガイド158に沿ってゲート160の最上流側にある原点に復帰し、再度、ガイド158に沿ってゲート160の上流側から下流側に一定速度で移動される。このようにして本実施形態では、１つのフォトレジスト150ａは２回の副走査を受け、それにより中間調露光が可能となっている。
【０１３０】
以下、この中間調露光について、図８を参照して詳しく説明する。先に説明した通り本実施形態では、ＤＭＤ50を傾斜配置したことにより、副走査方向に隣接する露光ビームスポットが互いに主走査方向に微小量（例えば０．１〜０．５μｍ程度）ずれて配置される。露光ビームスポットの径は５〜２０μｍ程度で、スポット配置間隔よりも大きいため、ＤＭＤ50の２画素以上を部分的にオーバーラップさせた状態で、フォトレジスト150ａが露光（多重露光）されることになる。つまり同図（Ｂ）で説明すれば、そこに斜線を付して示す１つの露光ビームスポット53ａで露光されたフォトレジスト150ａの部分が、副走査に伴って順次、別の露光ビームスポット53ｂ、53ｃ、53ｄの照射を受け得る位置に来たとき、この別の露光ビームスポットが実際に照射されるようにＤＭＤ50の各マイクロミラー62の動作を制御すれば、多重露光がなされる。同図（Ｃ）には、このように多重露光されたときの露光ビームスポット53の重なりの様子を示す。ここに示す通り複数の露光ビームスポット53は、主走査方向に僅かずつずれた状態で重なるようになる。
【０１３１】
そして本実施形態では、副走査方向に一列に並ぶ例えば１０個のマイクロミラー62をオンにして１０回の多重露光を行う状態と、上記１０個のマイクロミラー62を全てオフにして露光無しとする状態とが切り替えられる。この切り替えは、図１５に示した露光制御部422により、そこに入力された前記３値の画像データに基づいて、前記２回の副走査においてそれぞれなされる。すなわち、フォトレジスト150ａの各領域に関するこの３値の画像データがそれぞれ高濃度ドット記録、低濃度ドット記録、ドット記録無しを示すとき、それに対応して２回の副走査において共に露光、１回の副走査においてのみ露光、２回の副走査とも露光無し、の状態が設定される。
【０１３２】
以上の操作により本実施形態においては、フォトレジスト150ａに露光量が２段階に異なる露光域を形成することができる。したがってその後の現像処理を経ると、露光パターンに応じて厚みが２段階に制御されたフォトレジスト150ａを残すことが可能となる。
【０１３３】
以上説明した通り本方法においては、感光性材料であるフォトレジスト150ａに対する露光光の副走査を複数回行い、各副走査においてフォトレジスト150ａの各領域に対する露光を制御して中間調露光を行うようにしているので、従来技術で使用されている前述の高精細マスクや、さらには露光マスクそのものが不要となる。したがってこの方法によれば、フォトレジスト150ａに対する中間調露光を低コストで実現可能となる。
【０１３４】
なお、この実施形態では、フォトレジスト150ａに対する露光量を２段階に制御しているが、副走査の回数を３通り以上に設定することにより、露光量を３段階以上に制御することも勿論可能である。
【０１３５】
なお本発明による露光装置は、１回の副走査で行う露光処理において、感光性材料の全面を複数に分けた各領域に対して並列的に露光処理を行うようにして、露光処理を高速化することも可能である。図１７はそのような並列処理を可能にする構成の一例を示すブロック図である。
【０１３６】
以下、この図１７の構成および、それによってなされる露光処理について説明する。なお図１８にはこの露光処理の流れを示してあり、適宜この図１８のフローチャートを参照して説明する。図１７に示すＲＩＰ（Raster Image Processor）490には、例えば前述のプリントパターンデータ等のユーザーデータ495が入力される（図１８のステップ801）。このユーザーデータ495は、１枚の感光性材料を１回目の副走査で露光させるための１回目露光データ496と、同じ感光性材料を２回目の副走査で露光させるための２回目露光データ497とからなるものである。
【０１３７】
ＲＩＰ490は、入力されたユーザーデータ495をRaster Image Processing処理、つまりラスタ形式の画像データに変換する処理を行うとともに、該データ495を、感光性材料の複数の領域を各々露光するためのデータに分割する処理を行う（図１８のステップ802）。そしてＲＩＰ490は、分割された各画像データを、各領域担当処理用の複数の画像処理ＰＣ（Personal Computer）492に転送する（図１８のステップ803）。
【０１３８】
複数の画像処理ＰＣ492はそれぞれフレームメモリ498およびＨＤＤ（Hard Disk Drive）494を備えており、転送されて来た分割画像データを、ＨＤＤ494に記憶させる（図１８のステップ804）。この分割画像データは、図１７中の上から１番目の画像処理ＰＣ492に入力されるものは１回目露光データ496の中の一部領域に関する496Ａと、２回目露光データ496の中の一部領域に関する497Ａとからなり、２番目の画像処理ＰＣ492に入力されるものは１回目露光データ496の中の一部領域に関する496Ｂと、２回目露光データ496の中の一部領域に関する497Ｂとからなり、３番目の画像処理ＰＣ492に入力されるものは１回目露光データ496の中の一部領域に関する496Ｃと、２回目露光データ496の中の一部領域に関する497Ｃとからなるものである。なお上記一部領域とは感光性材料の一部領域のことであり、各画像処理ＰＣ492毎にその領域は異なる。
【０１３９】
全ての画像処理ＰＣ492に分割画像データ496Ａ〜Ｃおよび497Ａ〜Ｃが転送、記憶された後、１番目の画像処理ＰＣ492は、ＨＤＤ494に記憶した分割画像データ496Ａおよび497Ａのうち、１回目の露光に供する前者のみをフレームメモリ498にセットする（図１８のステップ805）。なお以下では、１番目の画像処理ＰＣ492を例に挙げて説明するが、他の２番目、３番目の画像処理ＰＣ492においても、それぞれ分割画像データ496Ｂおよび497Ｂ、分割画像データ496Ｃおよび497Ｃに基づいて画像露光する操作が同様になされる。
【０１４０】
それと併行して、図示外のアライメント測定手段により、副走査手段上における感光性材料のアライメント状態が測定される（図１８のステップ807）。そしてその測定データは、アライメント変形データとして画像処理ＰＣ492に入力される（図１８のステップ806）。画像処理ＰＣ492は上記アライメント変形データに基づいて、分割画像データ496Ａを、副走査手段上における感光性材料のアライメント状態に拘わらず、感光性材料上の所定位置で露光がなされるように変形する画像処理を行う（図１８のステップ808）。
【０１４１】
この画像処理を受けた分割画像データ496Ａは、高速ハードウェア493に転送され、そこで適宜の画像処理を受ける（図１８のステップ809）。高速ハードウェア493はその画像処理済みの分割画像データ496ＡをＤＭＤドライバ428に転送する（図１８のステップ810）。そこで、ＤＭＤドライバ428により、この分割画像データ496Ａに基づいてＤＭＤが駆動され、第１回目の副走査による露光処理がなされる（図１８のステップ811）。
【０１４２】
この第１回目の露光処理が終了すると画像処理ＰＣ492は、ＨＤＤ494に記憶した分割画像データ496Ａおよび497Ａのうち、２回目の露光に供する後者のみをフレームメモリ498にセットする（図１８のステップ825）。以後は、１回目の露光におけるステップ806、808〜811と同様のステップ826、828〜831の処理がなされて、第２回目の副走査による露光処理が終了し、それにより、１つの感光性材料に対する露光処理が終了する（図１８のステップ832）。
【０１４３】
なお、分割画像データ496Ａに基づく画像露光と、分割画像データ497Ａに基づく画像露光は、感光性材料上の互いに同じ領域に対して行われることが必要であるので、前述のアライメント変形データは、１回目の露光処理と２回目の露光処理とにおいて、共通に用いられる。
【０１４４】
図４９は、上述したような露光処理の主要工程に要する時間を例示するものである。ここに示される通り、上記アライメント計測には、プリアライメント計測の工程を含めると通常３５〜５５秒程度要する。したがって、このアライメント計測を上記のように１回のみで済ませることができれば、１回目と２回目の露光処理を全く同様に行う場合（そのときはアライメント計測も２回行われる）と比べて、露光処理全体の所要時間を３５〜５５秒程度短縮することができる。
【０１４５】
次に図１９を参照して、本発明の露光方法の別の実施形態について説明する。本実施形態の方法は、基材上に残される１種の構造部材材料を、厚みが２段階に異なった状態で残すようにしたものである。より具体的に、この図１９に示すのは、前述した非特許文献１にも記載されている高透過型ＬＣＤ−ＴＦＴパネルであり、基材としての２枚のガラス基板500、501の間に絶縁膜502、透過部を構成する透明電極503、構造部材としての反射部を構成するアクリル樹脂層504、液晶層505、ＩＴＯ電極506、カラーフィルタ507が形成されてなるものである。なお508はソースバスライン、509はブラックマトリクスである。また反射部を構成するアクリル樹脂層504の表面には、図中上方から入射する光を反射させる反射膜として機能するアルミニウム電極510が形成されている。この構造においては、ブラックマトリクス509で囲われた領域が１画素となり、この１画素内に透過部と反射部とが存在している。
【０１４６】
そしてアルミニウム電極510が形成されるアクリル樹脂層504の表面には、光の散乱効果を高めるための微細凹凸が形成されている。このような構造を形成する場合、従来は、図２０（Ａ）に示すような工程が適用されていた。すなわち、まずアクリル樹脂層504となる感光性アクリル樹脂が塗布され、次に透過部と反射部とを形成するための露光が行われる。つまり、例えば感光性アクリル樹脂がポジ型のものである場合は、所定のフォトマスクを用いて、透過部とする部分を露光し、反射部とする部分は露光しないように露光を行う。
【０１４７】
その後現像・リンスを行うことにより、露光しなかった感光性アクリル樹脂の部分が残り、露光した感光性アクリル樹脂の部分が溶出する。次いで、残ったアクリル樹脂層504の表面に凹凸加工を施して上記微細凹凸を形成し、その後洗浄し、アルミニウム電極510とするアルミニウム（Ａｌ）を成膜し、それにＰＥＰ（フォトリソ）工程を適用して所定の電極形状とすると、上記構造が完成する。
【０１４８】
それに対して、本発明による露光方法を適用すると、図２０（Ｂ）に示す工程によって上記構造を形成することができる。つまりこの場合は、透過部と反射部とを形成するための露光において、透過部とする部分は２回の副走査において共に露光光を照射することにより露光量を大にして感光性アクリル樹脂を露光する一方、反射部とする領域の感光性アクリル樹脂には、１回の副走査においてのみ所定パターンに従って露光光を照射することにより、露光量を小とした露光を行う。そうすることにより、次の現像・リンスを行うと、露光量を大とした部分では感光性アクリル樹脂が完全に溶出して透過部が形成される。また、露光量を小として露光がなされた部分では、ある程度の深さだけ感光性アクリル樹脂が溶出して所定パターンの凹部が形成されるので、反射部として残るアクリル樹脂層504の表面に凹凸が形成されることになる。
【０１４９】
つまり本発明の露光方法を適用することにより、従来方法においてなされていた図２０（Ａ）の凹凸処理および洗浄の工程を省くことが可能になる。
【０１５０】
なお上記の実施形態では、アクリル樹脂層504に対して露光量が２段階に異なる露光処理をすることにより、該アクリル樹脂層504を厚さが２段階に異なる状態で残すようにしているが、アクリル樹脂層504に対して露光量が３段階以上に異なる露光処理をすることにより、該アクリル樹脂層504を厚さが３段階以上に異なる状態で残すことも勿論可能である。
【０１５１】
次に、本発明の露光方法のさらに別の実施形態について説明する。本実施形態の方法は、基材上に２種以上の構造部材を形成するものである。より具体的に本実施形態の方法は、基材としてのＬＣＤ−ＣＦパネル上に、構造部材としてのリブ材と柱材とを形成する。
【０１５２】
まず図２１を参照して、液晶層618内に設けられた柱材であるスペーサ622、およびリブ材である液晶配向制御用突起624について説明する。これらは、転写シートを光透過性基板610Ｂに形成されたカラーフィルタ膜614上の導電性膜（不図示）と接するように貼り合わせてラミネートすることにより、導電性膜側から順次、光感度の高い第１のネガ型感光性透明樹脂層（第１透明層）と、これに対し相対的に光感度の低い第２のネガ型感光性透明樹脂層（第２透明層）とを設けた後、光透過性基板610Ｂ側から、配向制御用突起部位となる領域には低エネルギー量にて、スペーサ部位となる領域には高エネルギー量にてレーザ露光し、その後現像することによって同時に形成される。この場合も低エネルギー量、高エネルギー量の設定は、１回の副走査のみにおいてレーザ露光を行う、２回の副走査において共にレーザ露光を行う、という操作によって可能である。
【０１５３】
これにより、配向制御用突起624は第１透明層のみが残った凸部で構成され、スペーサ622は第１および第２透明層が残った柱部で構成される。図示のように、第１透明層と第２透明層とが残されてなるスペーサ622は、第１透明層のみが残されてなる液晶配向制御用突起624と比べて、厚みが第２透明層の厚み分だけ厚くなっている。ネガ型感光性透明樹脂層の各々の厚みを適宜所望に応じて選択することで、好適な厚み、つまり高さを持つ配向制御用突起624あるいはスペーサ622を形成することができる。
【０１５４】
以下、具体的な工程について説明する。
【０１５５】
〔転写シートの作製〕
厚さ０．２μｍのゼラチン層が下塗りされた、厚さ７５μｍのポリエチレンテレフタレートフィルム仮支持体（ＰＥＴ仮支持体）のゼラチン層の表面に、下記の処方Ｈ１よりなる塗布液を塗布、乾燥させ、乾燥層厚２０μｍの熱可塑性樹脂層を塗設し、さらにこの熱可塑性樹脂層上に下記処方Ｂ１よりなる塗布液を塗布、乾燥させて乾繰層厚１．６μｍの中間層を塗設した。なお処方中の「部」は、質量基準である。
【０１５６】
〔熱可塑性樹脂層の処方Ｈ１〕
・メチルメタクリレート／２−エチルヘキシルアクリレート／ベンジルメタクリレート／メタクリル酸共重合体                                …１５部
（共重合比［モル比］＝５５／４．５／１１．７／２８．８、重量平均分子量９００００）
・ポリプロピレングリコールジアクリレート（平均分子量＝８２２）
…  ６．５部
・テトラエチレングリコールジメタクリレート                  …  １．５部
・ｐ−トルエンスルホンアミド                                …  ０．５部
・ベンゾフェノン                                            …  １．０部
・メチルエチルケトン                                        …３０部
〔中間層の処方Ｂ１〕
・ポリビニルアルコール                                    …  １３０部
（ＰＶＡ−２０５（鹸化率＝８０％）、株式会社クラレ製）
・ポリビニルピロリドン                                    …    ６０部
（Ｋ−９０、ＧＡＦコーポレーション社製）
・フッ素系界面活性剤                                      …    １０部
（サーフロンＳ−１３１、旭硝子株式会社製）
・蒸留水                                                  …３３５０部
以上のようにして熱可塑性樹脂層および中間層が設けられた仮支持体の中間層上に、下記表１に示す処方よりなる透明層（Ａ１層）用のネガ型感光性透明樹脂溶液をさらに塗布、乾燥させ、層厚１．２μｍのネガ型感光性透明樹脂層Ａ１を塗設した。その後、ネガ型感光性透明樹脂層Ａ１上にさらにポリプロピレン（厚さ１２μｍ）のカバーフィルムを圧着し、熱可塑性樹脂層／中間層／ネガ型感光性透明樹脂層Ａ１が積層されてなる感光性転写シートＳＡ１を作製した。
【表１】
2007003861.tif 000003
【０１５７】
次に、上記とは別に厚さ７５μｍのポリエチレンテレフタレートフィルム仮支持体を用意し、そのＰＥＴ面に上記と同様に前記処方Ｈ１よりなる塗布液を塗布、乾燥させて乾燥層厚２０μｍの熱可塑性樹脂層を塗設し、さらに同様にこの熱可塑性樹脂層上に前記処方Ｂ１よりなる塗布液を塗布、乾燥させて乾繰層厚１．６μｍの中間層を塗設した。こうして熱可塑性樹脂層および中間層が設けられた仮支持体の中間層上に、下記表２に示す処方よりなる透明層（Ｐ１層）用のネガ型感光性透明樹脂溶液をさらに塗布、乾燥させ、層厚４．０μｍのネガ型感光性透明樹脂層Ｐ１を塗設した。その後、ネガ型感光性透明樹脂層Ｐ１上にさらにポリプロピレン（厚さ１２μｍ）のカバーフィルムを圧着し、熱可塑性樹脂層／中間層／ネガ型感光性透明樹脂層Ｐ１が積層されてなる感光性転写シートＳＰ１を作製した。
【表２】
2007003861.tif 000004
【０１５８】
なお、上記感光性転写シートＳＡ１のネガ型感光性透明樹脂層Ａ１の光感度ｈ1と、感光性転写シートＳＰ１のネガ型感光性透明樹脂層Ｐ１の光感度ｈ2との光感度比ｈ1／ｈ2は１０となるように調整してある。
【０１５９】
〔スペーサおよび液晶配向制御用突起の作製〕
これらの感光性転写シートＳＡ１およびＳＰ１を用いて、予めガラス基板（０．７ｍｍ厚）上に形成しておいたカラーフィルタ上に、前述と同様の露光装置による下記方法でスペーサと液晶配向制御用突起を形成した。
【０１６０】
まず、予め形成されたカラーフィルタ上にＩＴＯ膜を２０Ω／□となるようにスパッタリングにより形成した。感光性転写シートＳＡ１のカバーフィルムを剥離し、露出したネガ型感光性透明樹脂層Ａ１の表面をＩＴＯ膜にラミネーター（ＶＰ−ＩＩ、大成ラミネータ株式会社製）を用いて加圧（０．８ｋｇ／ｃｍ2）、加熱（１３０℃）しながら貼り合わせ、続いて中間層とネガ型感光性透明樹脂層Ａ１との界面で剥離し、ガラス基板上に透明のネガ型感光性透明樹脂層Ａ１のみを転写した。
【０１６１】
引き続き感光性転写シートＳＰ１のカバーフィルムを剥離し、ネガ型感光性透明樹脂層Ａ１の表面に、露出したネガ型感光性透明樹脂層Ｐ１が接するように上記と同様にして貼り合わせた後、仮支持体と熱可塑性樹脂層との界面で剥離し、ガラス基板上にネガ型感光性透明樹脂層Ａ１／ネガ型感光性透明樹脂層Ｐ１／中間層／熱可塑性樹脂層となるように転写した。
【０１６２】
次に、例えば既述のように構成された露光装置により、波長４０５ｎｍのレーザ光で４ｍＪ／ｃｍ2、４０ｍＪ／ｃｍ2のエネルギー量にて露光を行った。この際、前述の第一透明層となるネガ型感光性透明樹脂層Ａ１のみを残して配向制御用突起624を形成しようとする部分は４ｍＪ／ｃｍ2のエネルギー量で、前述の第二透明層となるネガ型感光性透明樹脂層Ｐ１および上記ネガ型感光性透明樹脂層Ａ１を残してスペーサ622を形成しようとする部分は４０ｍＪ／ｃｍ2のエネルギー量で露光する。
【０１６３】
その後、現像液ＰＤ２（富士写真フイルム株式会社製）を用いてネガ型感光性透明樹脂層Ｐ１を現像し、熱可塑性樹脂層及び中間層を除去した。この際、ネガ型感光性透明樹脂層Ａ１は実質的に現像されていなかった。次いで、現像液ＣＤ１（富士写真フイルム株式会社製）を用いてネガ型感光性透明樹脂層Ａ１の不要部を現像除去し、さらにＳＤ１（富士写真フイルム株式会社製）を用いて仕上げ処理（ブラシ処理）を行なうことにより、ガラス基板上にネガ型感光性透明樹脂層Ａ１のみの透明パターンからなる液晶配向制御用突起部と、ネガ型感光性透明樹脂層Ａ１およびＰ１が積層されてなる透明パターンであるスペーサ部とを形成した。
【０１６４】
なお、上記ネガ型感光性透明樹脂層Ａ１は３３０〜３９０ｎｍの波長領域に実質的な感度を有するように構成されており、ネガ型感光性透明樹脂層Ｐ１は、３３０〜４１５ｎｍの波長領域に実質的な感度を有するように構成されている。
【０１６５】
次いで、２４０℃で５０分間ベーキングし、ＩＴＯ膜上に高さ３．７μｍのスペーサ622と、高さ１．０μｍの液晶配向制御用突起624とを形成した。以上の通り本実施形態の方法によれば、高さ（厚み）が互いに異なる高精細のスペーサ622および液晶配向制御用突起624を簡易かつ同時に形成することが可能である。
【０１６６】
次に、上記スペーサ622および液晶配向制御用突起624を形成する別の方法について説明する。
【０１６７】
上述の実施形態において、〔転写シートの作製〕で用いたＰＥＴ仮支持体を、下塗りが施されていない厚さ７５μｍのポリエチレンテレフタレートフィルム仮支持体に代え、この仮支持体の表面に熱可塑性樹脂層及び中間層を予め塗設せず、直接、前記表１に示す処方よりなる透明層（Ａ１層）用のネガ型感光性樹脂溶液を塗布し、乾燥させて層厚１．２μｍのネガ型感光性透明樹脂層Ａ１を塗設するようにしたこと以外、上記の実施形態と同様にしても、スペーサ622および液晶配向制御用突起624を形成することができた。
【０１６８】
次に、本発明の露光方法のさらに別の実施形態について説明する。本実施形態の方法は、基材上に２種以上の構造部材を形成するものである。より具体的に本実施形態の方法は、基材としてのＬＣＤ−ＣＦパネル上に、構造部材としての透過用ＲＧＢ部材と反射用ＲＧＢ部材とを形成する。
【０１６９】
まず図２２を参照して、上記透過用ＲＧＢ部材および反射用ＲＧＢ部材からなるカラーフィルタについて説明する。このカラーフィルタは、転写シートを光透過性基板610Ａと接するように貼り合わせてラミネートすることにより、光透過性基板610Ａ上に順次、光感度の高い第１のネガ型感光性着色樹脂層（第１着色層）と、これに対し相対的に光感度の低い第２のネガ型感光性着色樹脂層（第２着色層）とを設けた後、光透過性基板610Ａの着色層が設けられた側から、反射型液晶表示部位となる領域には低エネルギー量にて、透過型液晶表示部位となる領域には高エネルギー量にてレーザ露光し、その後現像することによって得られるものである。
【０１７０】
すなわち、反射型液晶表示部位となる領域は第１着色層のみが残って画素部614Ｂで構成され、透過型液晶表示部位となる領域は第１および第２着色層が残って画素部614Ａで構成されており、画素部614Ａとこれを挟む二つの画素部614Ｂとで着色画素（Ｒ，ＧまたはＢ）614が形成されている。第１着色層と第２着色層とが残ってなる画素部614Ａは、第１着色層のみが残ってなる画素部614Ｂに比して厚みが第２着色層の厚み分だけ厚くなっており、画素部614Ａは透過型に、画素部614Ｂは反射型に好適な膜厚で形成される。
【０１７１】
なおこのような構造において、バックライト620から発せられた光は図中ａで示すように透過型画素部614Ａを観察側に透過し、観察側からｂで示すように入射した光は反射板（反射電極）612で反射し、ｃで示すように反射型画素部614Ｂを経て観察側に戻る。
【０１７２】
以下、具体的な工程について説明する。
【０１７３】
〔転写シートの作製〕
厚さ０．２μｍのゼラチン層が下塗りされた、厚さ７５μｍのポリエチレンテレフタレートフィルム仮支持体（ＰＥＴ仮支持体）のゼラチン層の表面に、前述と同様の処方Ｈ１よりなる塗布液を塗布、乾燥させ、乾燥層厚２０μｍの熱可塑性樹脂層を塗設した。
【０１７４】
次に、塗設した熱可塑性樹脂層上に、これも前述と同様の処方Ｂ１よりなる塗布液を塗布、乾燥させ、乾燥層厚１．６μｍの中間層を塗設した。
【０１７５】
上記のようにして、予め熱可塑性樹脂層および中間層を設けたＰＥＴ仮支持体を３枚用意し、それぞれの中間層上に、下記表３に示す処方よりなる赤色層（Ｒ１層）用、緑色層（Ｇ１層）用、または青色層（Ｂ１層）用のネガ型感光性樹脂溶液をさらに塗布、乾燥させて、層厚１．２μｍのネガ型感光性樹脂層Ｒ１，Ｂ１，Ｇ１を塗設し、塗設された各色のネガ型感光性樹脂層（Ｒ１，Ｂ１またはＧ１）上にさらに、ポリプロピレン（厚さ１２μｍ）のカバーフィルムを圧着し、熱可塑性樹脂層／中間層／ネガ型感光性樹脂層（Ｒ１、Ｂ１またはＧ１）が積層されてなる３種の感光性転写シートＲ１，Ｂ１，Ｇ１を作製した。
【表３】
2007003861.tif 000005
【０１７６】
次に、上記とは別に厚さ７５μｍのポリエチレンテレフタレートフィルム仮支持体を用意し、そのＰＥＴ面に前記処方Ｈ１よりなる塗布液を塗布、乾燥させて乾燥層厚２０μｍの熱可塑性樹脂層を塗設し、さらにこの熱可塑性樹脂層上に前記処方Ｂ１よりなる塗布液を塗布、乾燥させて乾繰層厚１．６μｍの中間層を塗設した。このように、熱可塑性樹脂層及び中間層が設けられた仮支持体を３枚用意し、それぞれの中間層上に、下記表４に示す処方よりなる赤色層（Ｒ２層）用、緑色層（Ｇ２層）用、または青色層（Ｂ２層）用のネガ型感光性樹脂溶液をさらに塗布、乾燥させ、層厚１．２μｍのネガ型感光性樹脂層を塗設した。その後、各色のネガ型感光性樹脂層上にさらにポリプロピレン（厚さ１２μｍ）のカバーフィルムを圧着し、熱可塑性樹脂層／中間層／ネガ型感光性樹脂層（Ｒ２、Ｂ２またはＧ２）が積層されてなる３種の感光性転写シートＲ２，Ｂ２，Ｇ２を作製した。
【表４】
2007003861.tif 000006
【０１７７】
上記において、感光性転写シートＲ１，Ｂ１，Ｇ１の各ネガ型感光性樹脂層の光感度ｈ1と感光性転写シートＲ２，Ｂ２，Ｇ２の各ネガ型感光性樹脂層の光感度ｈ2との、各色間における光感度比ｈ1／ｈ2は１０となるように調整してある。
【０１７８】
〔カラーフィルタの作製〕
上記より得た６種の感光性転写シートを用いて、次のようにしてカラーフィルタを作製した。
【０１７９】
まず、感光性転写シートＲ１のカバーフィルムを剥離し、露出したネガ型感光性樹脂層Ｒ１の表面を透明なガラス基板（厚さ１．１ｍｍ）にラミネーター（ＶＰ−ＩＩ、大成ラミネータ株式会社製）を用いて加圧（０．８ｋｇ／ｃｍ2）、加熱（１３０℃）しながら貼り合わせ、続いて中間層とネガ型感光性樹脂層Ｒ１との界面で剥離し、ガラス基板上に赤色のネガ型感光性樹脂層Ｒ１のみを転写した。引き続いて、感光性転写シートＲ２のカバーフィルムを剥離し、ネガ型感光性樹脂層Ｒ１の表面に露出したネガ型感光性樹脂層Ｒ２が接するように上記と同様にして貼り合わせた後、仮支持体と熱可塑性樹脂層との界面で剥離し、ガラス基板上にネガ型感光性樹脂層Ｒ１／ネガ型感光性樹脂層Ｒ２／中間層／熱可塑性樹脂層となるように転写した。
【０１８０】
次に、例えば既述のように構成された露光装置により、波長４０５ｎｍのレーザ光で４ｍＪ／ｃｍ2、４０ｍＪ／ｃｍ2のエネルギー量にて露光を行った。この際、ネガ型感光性樹脂層Ｒ１のみを残して反射型画素部614Ｂを形成しようとする部分は４ｍＪ／ｃｍ2のエネルギー量で、ネガ型感光性樹脂層Ｒ１およびネガ型感光性樹脂層Ｒ２を残して透過型画素部614Ａを形成しようとする部分は４０ｍＪ／ｃｍ2のエネルギー量で露光する。この場合も、低エネルギー量、高エネルギー量の設定は、１回の副走査のみにおいてレーザ露光を行う、２回の副走査において共にレーザ露光を行う、という操作によって可能である。
【０１８１】
その後、現像液ＰＤ２（富士写真フイルム株式会社製）を用いてネガ型感光性樹脂層Ｒ２を現像し、熱可塑性樹脂層及び中間層を除去した。この際、ネガ型感光性透明樹脂層Ｒ１は実質的に現像されていなかった。次いで、現像液ＣＤ１（富士写真フイルム株式会社製）を用いてネガ型感光性透明樹脂層Ｒ１の不要部を現像除去し、さらにＳＤ１（富士写真フイルム株式会社製）を用いて仕上げ処理（ブラシ処理）を行なうことにより、ガラス基板610Ａ上にネガ型感光性樹脂層Ｒ１のみの赤色パターン（反射表示部）と、ネガ型感光性樹脂層Ｒ１及びＲ２が積層された赤色パターン（透過表示部）とを形成した。
【０１８２】
引き続き、赤色パターンが形成されたガラス基板上に、感光性転写シートＧ１、Ｇ２を上記と同様に順次貼り合わせ、剥離、露光、現像を繰り返し行なって、ネガ型感光性樹脂層Ｇ１のみの緑色パターン（反射表示部）と、ネガ型感光性樹脂層Ｇ１及びＧ２が積層された緑色パターン（透過表示部）とを形成した。また、感光性転写シートＢ１、Ｂ２を用いて上記同様の操作を繰り返し、赤色パターン及び緑色パターンが形成された透明ガラス基板上に、ネガ型感光性樹脂層Ｂ１のみの青色パターン（反射表示部）と、ネガ型感光性樹脂層Ｂ１及びＢ２が積層された青色パターン（透過表示部）とを形成し、ＲＧＢよりなる反射・透過両用のカラーフィルタを得た。
【０１８３】
以上のようにして、表示上一画素をなす領域内に、各色ごとに部分的に厚みを異にして反射表示部と透過表示部とが設けられてなる色画素（Ｒ，Ｇ，Ｂ）で構成されたカラーフィルタを簡便にかつ高い解像度で形成することができた。
【０１８４】
次に、上記反射・透過両用のカラーフィルタを形成する別の方法について説明する。
【０１８５】
上述の実施形態において、〔転写シートの作製〕で用いたＰＥＴ仮支持体を、下塗りが施されていない厚さ７５μｍのポリエチレンテレフタレートフィルム仮支持体に代え、この仮支持体の表面に熱可塑性樹脂層及び中間層を予め塗設せず直接、前記表３に示す処方よりなる赤色層（Ｒ１層）用、緑色層（Ｇ１層）用、または青色層（Ｂ１層）用のネガ型感光性樹脂溶液を塗布し、乾燥させて層厚１．２μｍのネガ型感光性樹脂層Ｒ１，Ｂ１，Ｇ１を塗設するようにしたこと以外、上記実施形態と同様にして、カラーフィルタを作製した。この方法においても、色画素（Ｒ，Ｇ，Ｂ）で構成されたカラーフィルタを簡便にかつ高い解像度で形成することができた。
【０１８６】
次に図２３〜２９を参照して、本発明の露光方法のさらに別の実施形態について説明する。本実施形態の方法は、フォトレジストによって基材上に１つの構造部材を形成した後そのフォトレジストを段階的に除去し、それを用いて別の構造部材を形成する処理を行うことにより、２つ以上の構造部材を基材上に形成するようにしたものである。ここでは、構造部材によってＴＦＴ回路が形成される。
【０１８７】
図２３〜２９は、このようにして高開口率アクティブマトリクス基板を製造する処理を順を追って示すものである。なおここでは、ゲート電極とソース電極とが交差するＧ−Ｓ交差部、ＴＦＴ素子部、画素部および端子部を並べた模式的な断面構成で図示することとする。
【０１８８】
まず図２３の（Ａ）は、ガラス基板701上にゲート電極膜702を成膜した状態を示している。このゲート電極膜702は、スパッタリング法などを適用して、クロム、アルミニウム、タンタルなどの金属膜として形成する。同図（Ｂ）は、ゲート電極膜702上にフォトレジストを均一に塗布した後、１枚目のフォトマスクを用いて、レジストパターン703を形成した状態を示す。次に同図（Ｃ）は、レジストパターン703を用いたエッチングにより、ゲート電極膜702をパターニングした状態を示す。
【０１８９】
次いで図２４（Ｄ）に示すように、レジストパターン703を除去した後、ゲート絶縁膜704、第１半導体層705および第２半導体層706の３層を連続積層成膜し、さらにソース・ドレイン電極膜707をプラズマＣＶＤ法やスパッタリング法などで連続して積層成膜する。上記ゲート絶縁膜704は、たとえば窒化シリコン（ＳｉＮx）膜などで形成する。第１半導体層705は、アモルファスシリコン（ａ−Ｓｉ）膜で形成する。第２半導体層706は、ｎ型不純物を高濃度にドープしたシリコン（ｎ+−Ｓｉ）膜で形成する。ソース・ドレイン電極膜707は、クロム、アルミニウム、タンタルなどの金属で形成する。
【０１９０】
次に同図（Ｅ）に示すように、ガラス基板701の表面側の全面にフォトレジストを塗布した後、所定の領域毎に露光量を変えた露光を行い、１回のレジスト塗布、露光、現像で複数段階の厚さを有するレジストパターン708を形成する。なおレジストパターン708は、画素部および端子部には形成しない。またＴＦＴ素子部のチャネル部705ａに相当する部分は薄肉部708ａとして形成し、その他の部分は厚く形成する。すなわち、その他の部分は所定の厚みである第１の厚み以上に形成し、薄肉部708ａは第１の厚みより薄い第２の厚みとして形成する。なおこの場合も、所定の領域毎に露光量を変える露光は、１回の副走査のみにおいて露光を行う、２回の副走査において共に露光を行う、という操作によって可能である。
【０１９１】
次に同図（Ｆ）に示すように、レジストパターン708に覆われていない部分の第１半導体層706および第２半導体層706の２層と、ソース・ドレイン電極膜707とを全てエッチングにより除去する。
【０１９２】
次に図２５（Ｇ）に示すように、上記（Ｆ）において残存しているレジストパターン708の全体の厚みをアッシングにより減少させることで、薄肉部708ａに対応するチャネル部750ａの位置でソース・ドレイン電極膜707の表面を露出させる。
【０１９３】
同図（Ｈ）は、残存するレジストパターン708を利用して、ソース・ドレイン電極分離およびチャネルエッチングを行った状態を示す。チャネル部7O5ａでは、第１半導体層705の厚みが調整され、第２半導体層706およびソース・ドレイン電極膜707は除去される。同図（Ｉ）は、レジストパターン708を除去した状態を示す。
【０１９４】
図２６（Ｊ）は、基板の全面にパッシベーション膜709を形成した状態を示す。パッシベーション膜709は、窒化シリコン（ＳｉＮｘ）などによる保護膜であり、ＣＶＤ法やスパッタリング法などによって形成する。
【０１９５】
同図（Ｋ）は、パッシベーション膜709の上に電気絶縁性合成樹脂材料、たとえばアクリル系樹脂を塗布した後、表面を平坦化し、表面が平坦化した電気絶縁膜であるアクリル系樹脂膜710を形成した状態を示す。次に同図（Ｌ）は、アクリル系樹脂膜710を、８０〜１００℃の温度でプリベークした後、その上にフッ素系樹脂を塗布することにより撥水性樹脂層711を形成し、さらにその上にフォトレジストを塗布することによりフォトレジスト層712を形成した状態を示す。
【０１９６】
次に図２７（Ｍ）は、３枚目のフォトマスクとしてスリットマスクなどを用いて露光量を調整し、フォトレジスト層712を所定の領域毎に露光量を変えて露光し、１回の露光、現像で多段階のパターン形状にパターニングした状態を示す。この露光によりフォトレジスト層712は、画素電極形成領域の予め定めるコンタクトホール領域712ｂで未硬化となり、コンタクトホール領域712ｂを除く画素電極形成領域である凹所712ａで部分的に硬化し、これら以外の領域で硬化するように露光／現像される。
【０１９７】
次に同図（Ｎ）は、フォトレジスト層712の第１のレジストパターンをマスクとしてアクリル系樹脂膜710およびパッシベーション膜709をエッチングし、アクリル系樹脂膜710の表面からドレイン電極部分までの貫通孔であるコンタクトホール710ｂを形成した状態を示す。このとき、端子部ではパッシベーション膜709およびゲート絶縁膜704などが除去され、ゲート電極および図示しないソース電極までの貫通孔であるコンタクトホール710ｃが形成され、ゲート電極膜702および図示しないソース電極膜が露出する。この際、撥水性樹脂層711の膜厚は薄いので、リフトオフと同様のプロセスによって、コンタクトホール710ｂおよび710ｃの部分の撥水性樹脂層711が除去される。同図（Ｏ）は、フォトレジスト層712の全体的な厚みをアッシングにより減少させ、第２のレジストパターンを形成した状態を示す。
【０１９８】
次に図２８（Ｐ）は、フォトレジスト層712の第２のレジストパターンをマスクとして撥水性樹脂層711をエッチングし、画素電極形成領域のアクリル系樹脂膜710にコンタクトホールに連なる凹所領域710ａを形成した状態を示す。同図（Ｑ）は、上記（Ｐ）において残存している不要なフォトレジスト層712を除去した状態を示す。
【０１９９】
同図（Ｒ）は、塗布型透明導電材をスピンコートなどにより塗布して塗布型透明導電膜713を形成した状態を示す。この塗布型透明導電膜713は、アクリル系樹脂膜710の凹所領域710ａの表面と、コンタクトホール710ｂおよび710ｃの内表面を覆う。撥水性樹脂層711はその撥水性によって塗布型透明導電材を弾くので、塗布型透明導電膜713は撥水性樹脂層711が残存している部分には形成されない。
【０２００】
その後、２００〜２５０℃で焼成することにより画素電極713ａを形成する。なお、画素電極713ａを形成する塗布型透明導電膜713は、酸化インジウム錫（ＩＴＯ）などによって形成することができる。本実施形態では、ＩＴＯなどの塗布型透明導電材を塗布して画素電極を形成するので、プラズマＣＶＤ法やスパッタリング法などの真空成膜法を用いなくても画素電極を形成することができ、製造コストの低減を図ることができる。
【０２０１】
次に図２９（Ｓ）は、画素電極713ａを形成した後、残存する撥水性樹脂層711をアッシングなどにより除去した状態を示す。これによって、高開口率アクティブマトリクス基板714が形成される。
【０２０２】
次に、本発明のさらに異なる実施形態による露光装置について説明する。図３０及び図３１には、本実施形態に係るフラッドベッドタイプの画像露光装置1010が示されている。この画像露光装置1010は、棒状の角パイプを枠状に組み付けて構成された矩形状の枠体1012に各部が収容されて構成されている。なお、枠体1012には、図示しないパネルが張り付けられることで、内外を遮断している。
【０２０３】
枠体1012は、背高の筐体部1012Ａと、この筐体部1012Ａの一側面から突出するように設けられたステージ部1012Ｂと、で構成されている。ステージ部1012Ｂは、その上面が筐体部1012Ａよりも低位とされ、作業者がこのステージ部1012Ｂの前に立ったときに、ほぼ腰高の位置となっている。ステージ部1012Ｂの上面には、開閉蓋1014が設けられている。開閉蓋1014の筐体部1012Ａ側の一辺には、図示しない蝶番が取付けられており、この一辺を中心として、開閉動作が可能となっている。
【０２０４】
開閉蓋1014を開放した状態のステージ部1012Ｂの上面には、露光ステージ1016が露出可能となっている。この露光ステージ1016は、定盤1018の長手方向に沿って配設された一対の摺動レール1020を介して支持され、露光ステージ1016下部に設けたリニアモータ1026（図３１参照）の駆動力によって、図３０のｙ方向へ摺動可能となっている。また、露光ステージ1016下部には、図示しないリニアエンコーダ1027を設けており、露光ステージ1016の移動に伴いパルス信号が出力され、パルス信号により露光ステージ1016の摺動レール1020に沿った位置情報及び副走査速度が検出可能となっている。露光ステージ1016には、感光性材料1022が位置決めされるようになっている。
【０２０５】
露光ステージ1016における定盤1018上での移動軌跡（図３０のｙ方向）のほぼ中間位置には、露光ヘッドユニット1028が配設されている。この露光ヘッドユニット1028は、前記定盤1018の幅方向両端部の外側にそれぞれ立設された一対の支柱1030に掛け渡されるように架設されている。すなわち、露光ヘッドユニット1028と定盤1018との間を前記露光ステージ1016が通過するゲートが形成される構成である。
【０２０６】
露光ヘッドユニット1028は、複数のヘッドアッセンブリ1028Ａが前記定盤１８の幅方向に沿って配列されて構成されており、前記露光ステージ1016を往復移動させながら、所定のタイミングでそれぞれのヘッドアッセンブリ1028Ａから照射される複数の光ビーム（詳細後述）を前記露光ステージ1016上の感光性材料1022へ照射することで、感光材料を露光することができるようになっている。
【０２０７】
図３２（Ｂ）に示される如く、露光ヘッドユニット1028を構成するヘッドアッセンブリ1028Ａは、ｍ行ｎ列（例えば、２行５列）の略マトリックス状に配列されており、これら複数のヘッドアッセンブリ1028Ａが前記露光ステージ1016の移動方向（以下副走査方向という）と直交する方向に配列される。本実施形態では、感光性材料1022の幅との関係で、２行で合計１０個のヘッドアッセンブリ1028Ａとした。
【０２０８】
ここで、１つのヘッドアッセンブリ1028Ａによる露光エリア1028Ｂは、副走査方向を短辺とする矩形状で、且つ、副走査方向に対して所定の傾斜角で傾斜しており、露光ステージ1016の移動に伴い、感光性材料1022にはヘッドアッセンブリ1028Ａ毎に帯状の露光済み領域が形成される（図３２（Ａ）参照）。
【０２０９】
図３０に示される如く、前記筐体部1012Ａ内には、前記定盤1018上の露光ステージ1016の移動を妨げない別の場所に光源ユニット1031が配設されている。この光源ユニット1031には複数のレーザ（半導体レーザ）を収容しており、このレーザから出射する光を光ファイバ（図示省略）を介して、それぞれのヘッドアッセンブリ1028Ａへ案内している。
【０２１０】
それぞれのヘッドアッセンブリ1028Ａは、前記光ファイバによって案内され、入射された光ビームを空間光変調素子である図示しないデジタル・マイクロミラー・デバイス（ＤＭＤ）によって、ドット単位で制御し、感光性材料1022に対してドットパターンを露光する。本実施形態では、前記複数のドットパターンを用いて１画素の濃度を表現するようになっている。
【０２１１】
図３３に示される如く、前述した帯状の露光済み領域1028Ｂ（１つのヘッドアッセンブリ1028Ａ）は、二次元配列（例えば４×５）された２０個のドットによって形成される。
【０２１２】
また、前記二次元配列のドットパターンは、副走査方向に対して傾斜されていることで、副走査方向に並ぶ各ドットが、副走査方向と交差する方向に並ぶドット間を通過するようになっており、実質的なドット間ピッチを狭めることができ、高解像度化を図ることができる。
【０２１３】
ここで、ステージ部1012Ｂ（図３０参照）において、前記露光ステージ1016上に位置決めされた感光性材料1022への露光処理は、前記露光ステージ1016に感光性材料1022を載置し、定盤1018上の摺動レール1020に沿って奥側へ移動する際（往路）と、一旦、定盤1018の奥側端部へ到達して、手前側へ戻る際（復路）にそれぞれ実行され、１往復することにより感光性材料1022への露光処理が完了する。
【０２１４】
また、前記露光ヘッドユニット1028の露光ステージ1016側に隣接して感光性材料1022の位置情報を得るためのユニットとして、アライメントユニット1032が配設されている。アライメントユニット1032では、前記露光ステージ1016上の感光性材料1022へ光を照射し、その反射光を撮影し、感光性材料1022上のマークを検出する。
【０２１５】
露光ステージ1016と、感光性材料1022とは、作業者が感光性材料1022を載置することで、その相対位置関係が決まるため、若干のずれが生じることがある。前記撮影されたマークによって前記ずれが認識され、露光ステージ1016と既知の相対関係となっている前記露光ヘッドユニット1028による露光タイミングに補正をかけ、感光性材料1022と画像との相対位置を所望の位置としている。
【０２１６】
ここで、本実施形態の感光性材料1022は、プリント配線基板1022Ｐ（図３４参照）であり、前記画像露光装置1010は、このプリント配線基板1022Ｐ上に塗布された感光層を露光し、適当なプリント配線パターンを形成する役目を有している。
【０２１７】
本実施形態に適用されるプリント配線基板1022Ｐ（完成状態）には、適宜銅箔で形成されたプリント配線パターン1100が施され、適宜箇所に直径３ｍｍ程度のスルーホール1102が設けられている。このスルーホール1102は、周縁部並びに内壁に銅箔1106（図３５（Ｇ）参照）が形成されており、例えば、電子部品の電気的かつ構造的に接続する位置として適用される、或いは、プリント配線基板1022Ｐの表裏面に設けられたプリント配線パターン同士の導通に適用されるようになっている。
【０２１８】
プリント配線基板1022Ｐは、図３５（Ａ）に示される如く、原基板1022Ａから生成されるようになっている。
【０２１９】
原基板1022Ａは、支持体1107の表面（或いは表裏面）に銅箔1106が張り付けられ（蒸着され）、その上に薄い肉厚の第二感光層1108、厚い肉厚の第一感光層1110の順に感光層が塗布されている。この第二感光層1108は相対的に高感度であるため少ない露光量で感光して硬化し、第一感光層1110は低感度であるため多くの露光量で感光して硬化する（図３６参照）。なお、図３５（Ａ）では、保護層等は省略してある。
【０２２０】
この原基板1022Ａを露光ステージ1016に装填し、露光ステージ1016を副走査方向へ往復移動させるが、往路と復路で露光量を変えて、往路では低感度部であるスルーホール部領域を露光（図３５（Ｂ）参照）して第一感光層1110を感光（図３５（Ｃ）参照）させ、復路では高感度部である配線パターン領域を露光（図３５（Ｄ）参照）して第二感光層1108を感光させる（露光量制御については後述）。
【０２２１】
往路と復路で露光量を変えることにより、第一感光層1110と第二感光層1108とは、異なる領域が感光して硬化する（図３５（Ｅ）参照）。この感光層（第一感光層1110及び第二感光層1108）の硬化状態で現像処理を施すと（図３５（Ｆ）参照）、硬化した感光層のみが残り、その他の非硬化部分が除去される。
【０２２２】
その後、エッチング処理を施すと、露出している銅箔1106と、硬化している感光層（第一感光層1110及び第二感光層1108）が溶出し、完成されたプリント配線基板1022Ｐ（図３５（Ｇ）参照）を仕上げることができる。
【０２２３】
このように２種類の異なる感光層への異なる露光量での露光処理を実現するために、本実施形態では、露光処理を露光ステージ1016が往復移動するときの往路と復路とに分けて行っている。
【０２２４】
すなわち、往路時は、スルーホール部のテント性（被膜保護性）を保つことを目的として第一感光層1110を対象とした露光処理を行い、復路時は、配線パターンの高解像度化を目的として第二感光層1108を対象とした露光処理を行う。このように、時間的に露光処理をずらすことで、互いの干渉を回避して、それぞれ最適な露光処理が可能となる。
【０２２５】
図３７には、本実施形態における画像露光装置1010において、露光ステージ1016を往復移動させる往路と復路とで露光処理を行う制御に関する機能ブロック図が示されている。なお、機能ブロック図には図示しないＣＰＵがあり、ＣＰＵにより往路露光処理、復路露光処理の開始指示が出力される。
【０２２６】
データ分離部1112は、スルーホールデータ記憶メモリ1114及び配線パターンデータ記憶メモリ1116と接続されている。データ分離部1112は、プリント配線図データ（本実施形態以前の配線を設計する工程にて作成）が入力されると、前記プリント配線図データから配線パターンとスルーホール部とを判別して低感度部画像データであるスルーホール部画像データと高感度部画像データである配線パターン部画像データとに分離し、スルーホール部画像データをスルーホールデータ記憶メモリ1114、配線パターン部画像データを配線パターンデータ記憶メモリ1116へ記憶させる。
【０２２７】
露光量演算部１１８は、スルーホールデータ記憶メモリ1114、配線パターンデータ記憶メモリ1116、露光時間演算部1120及び図示しないＣＰＵと接続されている。露光量演算部１１８は、図示しないＣＰＵより往路露光処理の開始指示を受けるとスルーホールデータ記憶メモリ1114からスルーホール部画像データを読み込み、スルーホール部画像データを第一感光層1110に感光させる必要な露光量（以下、スルーホール部必要露光量）をプリント配線基板上の露光位置毎に演算する。
【０２２８】
一方、図示しないＣＰＵより復路露光処理の開始指示を受けると配線パターンデータ記憶メモリ1116から配線パターン部画像データを読み込み、配線パターン部画像データを第二感光層1108に感光させる必要な露光量（以下、配線パターン部必要露光量）を露光位置毎に演算する。演算した各必要露光量は露光時間演算部1120へ送出される。
【０２２９】
露光時間演算部1120は、露光量演算部１１８、移動制御部1122及び露光制御部1128と接続されている。露光時間演算部1120は、露光制御部1128（後述）より光源ユニット1031から出力される光量データと露光量演算部1118より各必要露光量とを受け、光量データより必要露光量が得られる露光時間を演算する。すなわち、往路露光処理では、スルーホール部必要露光量が得られる露光時間（以下、スルーホール部露光時間）を、復路露光処理では、配線パターン部必要露光量が得られる露光時間（以下、配線パターン部露光時間）を露光位置毎に演算する。演算した各露光時間は移動制御部1122へ送出される。
【０２３０】
移動制御部1122は、リニアモータ1026、リニアエンコーダ1027、露光時間演算部1120、トリガ記憶メモリ1124及び露光制御部1128と接続されている。移動制御部1122は、露光時間演算部1120より往路露光処理ではスルーホール部露光時間、復路露光処理では配線パターン部露光時間を受け、各露光時間に基づきリニアモータ1026を制御して露光ステージ1016を往路、復路へ移動させる。このとき、移動制御部1122では、露光ステージ1016の移動によって生じるリニアエンコーダ1027からのパルスを検出して、露光ステージ1016の位置情報及び副走査速度を検出している。すなわち、往路、復路露光処理の開始位置からのパルス数をカウントすることにより露光ステージ1016の摺動レール1020に沿った位置情報が検出し、パルス間隔（パルスが検出される時間間隔）を測定することにより副走査速度が検出する。移動制御部1122では検出した副走査速度に基づきリニアモータ1026を制御して所望の副走査速度とし、露光ステージ1016の位置情報を露光制御部1128へ送出する。
【０２３１】
さらに、移動制御部1122は、往路露光処理（スルーホール部画像データの露光処理）において、露光位置毎のスルーホール部露光時間からスルーホール部の露光開始位置となるパルス数を演算し、露光位置トリガとしてトリガ記憶メモリ1124に記憶する。これは、往路露光処理がプリント配線基板上に点在するスルーホールのみの露光処理であるため、スルーホール以外の部分（点在しているスルーホールの間）の副走査速度を増加させて処理時間を短縮するためである。移動制御部1122では、露光ステージ1016の移動によって検出されるパルス数が露光位置トリガの値となると、副走査速度を制御してスルーホールの露光を行い、スルーホールの露光が終了すると速度を増加させる。
【０２３２】
ドットパターンデータ変換部1126は、スルーホールデータ記憶メモリ1114、配線パターンデータ記憶メモリ1116、露光制御部1128及び図示しないＣＰＵと接続されている。ドットパターンデータ変換部1126は、図示しないＣＰＵより往路露光処理の開始指示を受けるとスルーホールデータ記憶メモリ1114からスルーホール部画像データを読み込みドットパターンデータに変換する。一方、図示しないＣＰＵより復路露光処理の開始指示を受けると配線パターンデータ記憶メモリ1116から配線パターン部画像データを読み込みドットパターンデータに変換する。変換した各ドットパターンデータは露光制御部1128へ送出される。
【０２３３】
露光制御部1128は、露光時間演算部1120、移動制御部1122、ドットパターン変換部1126、各ヘッドアッセンブリ1028Ａ及び各光源ユニット1031と接続されている。露光制御部1128は、移動制御部1122より露光ステージ1016の位置情報、ドットパターン変換部1126より各ドットパターンデータを受け、往路露光処理ではスルーホール部画像データを変換したドットパターンデータ、復路露光処理では配線パターン部画像データを変換したドットパターンデータに基づき、露光ステージ1016が移動する位置毎に複数のヘッドアッセンブリ1028ＡのＤＭＤドライバ1130を制御してＤＭＤ1132をオン／オフさせ、光源ユニット1031の光源ドライバ1136へ点灯信号を送出してＬＤ1138を点灯させる。
【０２３４】
また、露光制御部1128では、往路、復路露光処理で点灯させるＬＤ1138の光量を光量データとして露光時間演算部1120へ送出する。なお、本実施形態では、往路、復路で共にＬＤ1138を全て点灯（最大光量）させてとしており、往路、復路露光処理で露光時間演算部1120へ送出される光量データは同一となる。
【０２３５】
以下、本実施形態の作用を説明する。感光性材料1022（図３０参照）への露光処理は、感光性材料1022を表面に吸着した露光ステージ1016が露光ヘッドユニット1028を通過する際に行われる。往路露光処理では、移動制御部1122（図３７参照）がリニアモータ1026を制御して露光ステージ1016を定盤1018の摺動レール1020に沿ってステージ部1012Ｂから筐体部1012Ａの奥側へ移動させる。
【０２３６】
アライメントユニット1032（図３１参照）は、露光ステージ1016が通過する際に、感光性材料1022に予め付与されたマークを検出する。このマークは、予め記憶されたマークと照合され、その位置関係に基づいて露光ヘッドユニット1028による露光タイミングが補正される。以下の往路、復路露光処理は補正された露光タイミングに基づき処理が行われる。
【０２３７】
露光ヘッドユニット1028では、露光ステージ1016の位置情報とスルーホール部画像データを変換したドットパターンデータに基づき、前記補正された露光タイミングでＤＭＤへレーザ光が照射され、ＤＭＤのマイクロミラーがオン状態のときに反射されたレーザ光が光学系を介して感光性材料1022へと案内され、この感光性材料1022上（図３５（Ｂ）参照）に結像される。
【０２３８】
移動制御部1122（図３７参照）は、スルーホール部で感光性材料1022上の第一感光層1110を硬化させるため、図３８（Ａ）に示すように露光ステージ1016の副走査速度を低速にする。副走査速度を低速にすることにより、露光ヘッドユニット1028からレーザ光が照射される露光時間が長くなり、第一感光層1110が感光して硬化する必要露光量が得られる。
【０２３９】
また、移動制御部1122は、スルーホール部以外では露光を行わないため副走査速度を増加させている。これは、図３９に示すように、露光ステージ1016の移動に伴いリニアエンコーダ1027から出力されるパルスをカウントした値が、トリガ記憶メモリ1124（図３７参照）に記憶した露光位置トリガ値となると（図３９の矢印ｔ１）、露光ステージ1016の副走査速度を低速にしてスルーホール部の露光（図３９の期間ｔ２）を行う。スルーホール部の露光が終了すると副走査速度を速くする。
【０２４０】
露光ステージ1016（図３０参照）が往路端に至ると往路露光処理は終了し、復路露光処理が開始される。復路露光処理では、移動制御部1122（図３７参照）がリニアモータ1026を制御して露光ステージ1016（図３１参照）を筐体部1012Ａの奥側から手前側へ移動させる。
【０２４１】
露光ヘッドユニット1028では、往路露光処理と同様に、露光ステージ1016の位置情報と配線パターン部画像データを変換したドットパターンデータに基づき、ＤＭＤへレーザ光が照射され、ＤＭＤより反射されたレーザ光が感光性材料1022上（図３５（Ｄ）参照）に結像される。
【０２４２】
移動制御部1122では、第二感光層1108を硬化させるため、図３８（Ｂ）に示すように露光ステージ1016の副走査速度を高速にする。副走査速度を高速にすることにより、レーザ光が照射される露光時間が短くなり、第二感光層1108のみが感光して硬化する必要露光量が得られる。
【０２４３】
このように、本実施形態によれば、露光ステージ1016の副走査速度を制御することにより、往路露光処理では、スルーホール部画像データに基づき第一感光層1110を感光させてスルーホール部領域のテント性（被膜保護性）を保つことができ、復路露光処理では、配線パターン部画像データに基づき第二感光層1108を感光させて配線パターン領域を高解像度にすることができる。
【０２４４】
以下、図４０のフローチャートに従い、画像データ分割処理、分割した画像データ処理及び往路、復路露光制御の流れについて説明する。
【０２４５】
ステップ1200では、プリント配線図データが入力されたか否かが判断され、肯定判定されると、ステップ1202へ移行する。ステップ1202では、入力されたプリント配線図データから配線パターンと、スルーホール部とを判別し、スルーホール部画像データと配線パターン部画像データとに分離してステップ1204へ移行する。
【０２４６】
ステップ1204では、分離したスルーホール部画像データをスルーホールデータ記憶メモリ1114（図３７参照）へ、配線パターン部画像データを配線パターンデータ記憶メモリ1116へ記憶し、ステップ1206へ移行する。ステップ1206では、往路露光処理を開始し、露光の往復処理フラグＦＧに往路を意味する０をセットして、ステップ1208へ移行する。
【０２４７】
ステップ1208では、露光量演算部1118とドットパターン変換部1126とにおいて、往路露光処理を行うためスルーホールデータ記憶メモリ1114からスルーホール部画像データを読み込む。さらに、ドットパターン変換部1126では、読み込んだスルーホール部画像データのドットパターンデータに変換を行い、ステップ1210へ移行する。
【０２４８】
ステップ1210では、往路、復路露光処理で各画像データを感光層へ感光させる必要な露光量の演算処理を行う。すなわち、往路露光処理（往復処理フラグＦＧが０）ではスルーホール部画像データを第一感光層1110へ、復路露光処理（往復処理フラグＦＧが１）では配線パターン部画像データを第二感光層1108へ感光させるために必要な露光量を演算して、ステップ1212へ移行する。
【０２４９】
ステップ1212では、光源ユニット1031から送出される光量データ（光源ユニット1031から出力される光量）に基づき、ステップ1210において演算した必要露光量が得られる露光時間を露光位置ごとに演算して、ステップ1214へ移行する。
【０２５０】
また、往路露光処理（往復処理フラグＦＧが０）ではスルーホール部の露光開始位置となるパルス数を演算し、露光位置トリガとしてトリガ記憶メモリ1124に記憶させる。
【０２５１】
ステップ1214では、画像データ（往路ではスルーホール部画像データ、復路では配線パターン部画像データ）変換したドットパターンデータと演算した露光時間とに基づき露光処理が実行される。なお、往路、復路露光処理については、本実施形態の作用の最初に説明したとおりである。
【０２５２】
ステップ1216では、往復処理フラグＦＧから復路（１）処理が終了したかを判別する。否定判定の場合、まだ復路露光処理が行われていないため、ステップ1218へ移行し、復路露光処理の開始として往復処理フラグＦＧに復路を意味する１をセットし、その後ステップ1220へ移行する。
【０２５３】
一方、ステップ1216において肯定判定の場合、往路、復路露光処理が終了であるため、処理終了（エンド）となる。
【０２５４】
ステップ1220では、復路露光処理として、露光量演算部1118とドットパターン変換部1126とにおいて配線パターン部画像データを読み込む。さらに、ドットパターン変換部1126では、読み込んだ配線パターン部画像データのドットパターンデータに変換を行い、ステップ1210へ移行し、復路露光処理が実行される。
【０２５５】
以上説明したように本実施形態では、光源数を増減させることなく、露光ステージ1016の副走査速度を制御することによりプリント配線基板（感光性材料1022）上への露光量を増減させることができる。また、往路、復路露光処理では、露光ステージ1016の副走査速度を制御して、スルーホール部画像（低感度部画像）データを第一感光層1110、配線パターン部画像（高感度部画像）データを第二感光層1108にそれぞれ感光させることにより、スルーホール部のテント性（被膜保護性）の向上と配線パターンの高解像度化を実現することができる。
【０２５６】
なお、本実施形態では、露光ヘッドユニット1028にヘッドアッセンブリ1028Ａを用いて、ドットパターンにより１画素を表現したが、ドットパターンを有さず、単一の光量の光ビームを出力する露光ヘッドであってもよい。
【０２５７】
また、本実施形態では露光ステージ1016の副走査速度を制御することにより、プリント配線基板への露光量を調整したが、副走査速度を一定として、往路または復路露光処理で各ヘッドアッセンブリ1028Ａの二次元配列された２０個のドット（図３３参照）の一部をオフ状態として光量を制御し、プリント配線基板への露光量を調整してもよい。この場合、例えば、往路露光処理ではドットパターンの全部をオン（最大光量）してスルーホール部画像データを低感度の第一感光層1110へ露光（図４１（Ａ）参照）し、復路露光処理ではドットパターンの一部（例えば、図３３の斜線としたドットパターン）をオフ状態（最大光量の１／ｎ）として、配線パターン部画像データを高感度の第二感光層1108へ露光（図４１（Ｂ）参照）するようにしてもよい。また、露光ヘッドにフィルタを設け、復路露光処理ではフィルタにより光量を最大光量の１／ｎに減少させ、配線パターン部画像データを第二感光層1108へ露光するようにしてもよい。
【０２５８】
次に、フォトレジスト等の感光性材料に対する中間調露光を低コストで実現できるようにした露光装置の実施形態について説明する。なお以下では、中間調露光を低コストで実現するための構成についてのみ説明するが、感光性材料に露光量が２段階以上に異なる露光域を形成するための構成は、以上説明した各種のものが適宜され得るものである。
【０２５９】
本実施形態の露光装置は、図１８で説明した並列処理を行う装置の一種であって、図１に示した露光装置と同じ基本構成を有し、そこで適用されているＤＭＤ50は、図４２に示すように、複数のマイクロミラー行からなる４つのブロック領域Ａ〜Ｄに分割されている。そして、そのブロック領域Ａ〜Ｄの制御信号は並列して各ブロック領域Ａ〜Ｄに転送される。なお、上記マイクロミラー行とは、マイクロミラー62（図６参照）が配列された直交する２方向のうち、露光光の副走査方向に対する傾斜角がより大きい方の方向にマイクロミラー62が一列に配置されたものである。
【０２６０】
上記のようにＤＭＤ50の各ブロック領域Ａ〜Ｄに並列に制御信号を転送するため、各露光ヘッド166（図２参照）には、図４３に示すように、４つの制御信号転送部960Ａ〜960Ｄがブロック領域Ａ〜Ｄ毎に設けられている。なお、図４３においては、制御信号転送部960Ｃは図示省略してある。また、本実施形態においては、上記のようにＤＭＤ50を４つのブロック領域に分割するようにしたが、これに限らず、２以上のブロック領域であればいくつのブロック領域に分割するようにしてもよい。
【０２６１】
各制御信号転送部960Ａ〜960Ｄは、図４３に示すように、Ｐ個のシフトレジスタ回路961と、ラッチ回路962と、コラムドライバ回路963とを備えている。Ｐ個のシフトレジスタ回路961には、コントローラ965からクロック信号ＣＫが入力され、そのクロック信号ＣＫに応じてＰ個のシフトレジスタ回路961にそれぞれ１個ずつ制御信号が同時に書き込まれる。そして、Ｐ個のシフトレジスタ回路961にそれぞれＮ個の制御信号が書き込まれると、そのＮ×Ｐ個の１行の制御信号がラッチ回路962に転送される。
【０２６２】
そして、ラッチ回路962に転送された１行の制御信号は、そのままコラムドライバ回路963に転送され、コラムドライバ回路963から出力された１行の制御信号は、ＳＲＡＭアレイ956の所定の行に書き込まれる。制御信号が書き込まれる所定の行は、ローデコーダ964においてアドレス信号に基づいて選択される。
【０２６３】
そして、上記のようにラッチ回路962に制御信号がラッチされ、ＳＲＡＭアレイ956の所定の行に制御信号が書き込まれる間に、次の行の制御信号がシフトレジスタ回路961に書き込まれる。なお、シフトレジスタ回路961、ラッチ回路962、コラムドライバ回路963およびＳＲＡＭアレイ956への制御信号の書き込みのタイミングはコントローラ965によって制御される。
【０２６４】
そして、上記のようにしてＳＲＡＭアレイ956に制御信号が書き込まれた後、その書き込まれた制御信号に応じた制御電圧が電圧制御部966によりマイクロミラー62毎に設けられた電極部に印加され、各マイクロミラー62がリセットされる。
【０２６５】
ここで、各ブロック領域Ａ〜Ｄに設けられた電圧制御部966は、各ブロック領域Ａ〜Ｄにおけるマイクロミラー行を、さらにＫ行毎に分割した３個の分割領域１〜３毎に制御電圧を出力可能なものである。なお、本実施形態においては、３つの分割領域に分割するようにしたが、これに限らず、２以上の分割領域であればいくつの分割領域に分割するようにしてもよい。
【０２６６】
また、各ブロック領域Ａ〜Ｄにおける分割領域の数Ｎは、下式を満たす大きさとすることが望ましい。
【０２６７】
Ｎ＝Ｔｓｒ/Ｔｔｒ
ただし、Ｔｔｒ：各分割領域のリセット時間
Ｔｓｒ：各分割領域への制御信号の転送時間
そして本露光装置には、図４３に示すように、露光装置全体を制御する全体制御部300および各露光ヘッド166の制御信号転送部960Ａ〜960Ｄへ制御信号を出力するデータ制御部968が設けられており、上記のようなＤＭＤ50のＳＲＡＭアレイ956への制御信号の書き込みおよびマイクロミラー62の駆動は全体制御部300により制御される。また、全体制御部300はステージ152（図１参照）を移動させるステージ駆動装置304を駆動制御するものでもある。
【０２６８】
次に、本実施形態の露光装置の作用について詳細に説明する。まず、図示外の所定のデータ作成装置において、感光性材料（ここでは例えば図１に示したガラス基板150上のフォトレジスト150ａとする）に露光すべき画像に応じた画像データが作成され、その画像データがデータ制御部968に出力される。そして、データ制御部968において、上記画像データに基づいて各露光ヘッド166に出力される制御信号が生成される。なお、本実施形態の露光装置は、ＤＭＤ50のブロック領域Ａ〜Ｄ毎に制御信号を転送し、ブロック領域Ａ〜Ｄ毎にマイクロミラー62を駆動制御するものであるので、上記制御信号も各ブロック領域Ａ〜Ｄ毎に生成される。
【０２６９】
そして、上記のようにデータ制御部968において各露光ヘッド166毎の制御信号が生成されるとともに、全体制御部300からステージ駆動装置304にステージ駆動制御信号が出力され、ステージ駆動装置304はステージ駆動制御信号に応じてステージ152をガイド158に沿ってステージ移動方向へ所望の速度で移動させる。そして、ステージ152がゲート160下を通過する際、ゲート160に取り付けられたセンサ164によりフォトレジスト150ａの先端が検出されると、データ制御部968から各露光ヘッド166に制御信号が出力され、各露光ヘッド166毎の描画が開始される。
【０２７０】
ここで、各露光ヘッド166におけるＤＭＤ50の駆動制御について詳細に説明する。まず、上記のようにして生成されたＤＭＤ50のブロック領域Ａ〜Ｄ毎の制御信号が、データ制御部968から各制御信号転送部960Ａ〜960Ｄに１行ずつ転送される。このとき、各ブロック領域Ａ〜Ｄの制御信号は、図４４（Ａ）に示すようタイミングで転送される。つまり、各ブロック領域Ａ〜Ｄ毎に、予め設定された時間だけタイミングがずらされて制御信号が転送される。
【０２７１】
そして、上記のようにして転送された制御信号は、各ブロック領域Ａ〜Ｄ毎に設けられた制御信号転送部960Ａ〜960Ｄにより、上記のようにして各ブロック領域Ａ〜Ｄ毎のＳＲＡＭアレイ956に書き込まれる。
【０２７２】
そして、図４４（Ａ）に示すように、制御信号の転送が終わったブロック領域から順次その転送された制御信号に応じてマイクロミラー62がリセットされる。
【０２７３】
図４４（Ｂ）に、図４４（Ａ）に示すようなタイミングで各ブロック領域Ａ〜Ｄに制御信号を転送して各ブロック領域Ａ〜Ｄのマイクロミラー62をリセットし、フォトレジスト150ａに描画した描画点の一例を示す。なお、図４４（Ｂ）に示す白丸がブロック領域Ａのマイクロミラー62により描画された描画点を示し、２重丸がブロック領域Ｂのマイクロミラー62により描画された描画点を示し、黒丸がブロック領域Ｃのマイクロミラー62により描画された描画点を示し、斜線丸がブロック領域Ｄのマイクロミラー62により描画された描画点を示す。また、本実施形態の露光装置におけるＤＭＤ50は、図４４（Ｂ）に示すように、各ブロック領域Ａ〜Ｄにおけるマイクロミラー62がそれぞれ同一の副走査線上を通過するような角度だけ走査方向に対して傾けられて設置されている。
【０２７４】
上記のように各ブロック領域Ａ〜Ｄの変調のタイミングを予め設定された時間だけずらすことによって、図４４（Ｂ）に示すように、たとえば、ブロック領域Ａのマイクロミラー62による描画点の間に同一の間隔をおいてブロック領域Ｂ、ブロック領域Ｃおよびブロック領域Ｄのマイクロミラー62による描画点を配置するようにすることができる。なお、図４４（Ｂ）におけるブロック領域Ａの変調時間の間に描画されるブロック領域Ｂ〜Ｄの描画点は、同じフレームで描画されたものではなく、それぞれ異なるフレームで描画された点である。ここで、フレームとは、ブロック領域Ａからブロック領域Ｄまで順次制御信号を転送して順次リセットする処理を１つの処理単位として考えた場合におけるその１単位である。
【０２７５】
また、上記のようにブロック領域Ａの描画点の間に同一の間隔をおいてブロック領域Ｂ、ブロック領域Ｃおよびブロック領域Ｄの描画点を配置するようにするには、各ブロック領域Ａ〜Ｄの変調のタイミングをずらすことのほかに、フォトレジスト150ａの副走査速度、つまりステージ152の移動速度を制御するようにしてもよい。
【０２７６】
全体制御部300には各ブロック領域Ａ〜Ｄの変調のタイミングのずれに応じたステージ152の移動速度が予め設定されており、この予め設定された移動速度でステージ152が移動するようにステージ駆動装置304が制御される。
【０２７７】
また、本実施形態の露光装置においては、上記のように各ブロック領域Ａ〜Ｄの変調のタイミングをずらすようにしたが、必ずしもずらす必要はなく、図４５に示すように、各ブロック領域Ａ〜Ｄへ同時に制御信号を転送し、各ブロック領域Ａ〜Ｄにおけるマイクロミラー62を同時にリセットするようにしてもよい。
【０２７８】
なお、ステージ152の移動速度を予め所望の移動速度に設定しておき、この移動速度に対して、各ブロック領域Ａ〜Ｄの変調のタイミングを制御または設定するようにしてもよい。
【０２７９】
また、各ブロック領域Ａ〜Ｄの描画点が重なり合うように、各ブロック領域Ａ〜Ｄの変調のタイミングあるいはステージ152の移動速度を制御するようにしてもよい。
【０２８０】
なお、比較のために上記実施形態のようにブロック領域Ａ〜Ｄ毎に制御信号を転送して順次リセットするのではなく、全てのブロック領域Ａ〜Ｄに制御信号を転送した後にリセットした場合における描画点の一例を図４８に示す。図４８（Ａ）に示すように全てのブロック領域Ａ〜Ｄに制御信号を転送した後にリセットした場合には、図４８（Ｂ）に示すように、たとえば、ブロック領域Ａのマイクロミラー62による描画点の間にブロック領域Ｂ、ブロック領域Ｃおよびブロック領域Ｄのマイクロミラー62による描画点が、不規則に配置されることになる。これは各ブロック領域Ａ〜Ｄにより描画するタイミングが、副走査速度と無関係に変調時間にのみによって決定されるからである。
【０２８１】
本実施形態の露光装置においては、各露光ヘッド166におけるＤＭＤ50がそれぞれ上記のようにして駆動制御されてフォトレジスト150ａに描画点が形成される。
【０２８２】
そして、フォトレジスト150ａがステージ152とともに一定速度で移動し、フォトレジスト150ａ上において、露光ヘッド166毎に帯状の露光済み領域170（図３（Ａ）参照）が形成される。
【０２８３】
上記のようにして、フォトレジスト150ａに対する露光光の１回目の副走査が終了し、センサ164でフォトレジスト150ａの後端が検出されると、ステージ152は、ステージ駆動装置304により、ガイド158に沿ってゲート160の最上流側にある原点に復帰し、第２回目の副走査が引き続きなされる。このような２回の副走査により、フォトレジスト150ａ上に、露光量が２段階に異なる露光域が形成されることは、既に説明した通りである。
【０２８４】
本実施形態の露光装置によれば、ＤＭＤ50を副走査方向について複数のブロック領域に分割し、その複数のブロック領域毎の制御信号を並列に転送するようにしたので、従来のように画像データを１行ずつ順次ＳＲＡＭに転送して書き込み、全ての行の画像データがＳＲＡＭアレイに転送された後にリセットする場合と比較すると、変調速度をより高速化することができる。たとえば、本実施形態では４つのブロック領域に分割しているので、変調速度を４倍にすることができる。
【０２８５】
次に、さらに別の実施形態による露光装置について説明する。本実施形態の露光装置の基本構成は、上記実施形態の露光装置とほぼ同様であり、各露光ヘッド166におけるＤＭＤ50の駆動制御の方法が上記実施形態の露光装置と異なるものである。したがって、各露光ヘッド166におけるＤＭＤ50の駆動制御の方法のみ以下に説明する。
【０２８６】
まず、上記実施形態と同様に、ＤＭＤ50のブロック領域Ａ〜Ｄ毎の制御信号が、データ制御部968から各制御信号転送部960Ａ〜960Ｄに１行ずつ転送される。そして、たとえばブロック領域Ａにおいては、図４６（Ａ）に示すように、分割領域１〜３毎に制御信号が順次転送され、その転送終了時点から順次各分割領域１〜３におけるマイクロミラー62がリセットされる。その他のブロック領域Ｂ〜Ｄにおいても、上記と同様に各分割領域１〜３に制御信号が順次転送されるとともに、その転送終了時点から順次分割領域１〜３におけるマイクロミラー62がリセットされる。そして、各ブロック領域Ａ〜Ｄの各分割領域１〜３の制御信号は、図４６（Ａ）に示すように、予め設定された時間だけタイミングがずらされて転送される。
【０２８７】
図４６（Ａ）に示すようなタイミングで各ブロック領域Ａ〜Ｄの各分割領域１〜３に制御信号を転送して各ブロック領域Ａ〜Ｄの各分割領域１〜３におけるマイクロミラー62をリセットし、フォトレジスト150ａに描画した描画点の一例を、図４６（Ｂ）に示す。なお、図４６（Ｂ）に示す白丸がブロック領域Ａのマイクロミラー62により描画された描画点を示し、２重丸がブロック領域Ｂのマイクロミラー62により描画された描画点を示し、黒丸がブロック領域Ｃのマイクロミラー62により描画された描画点を示し斜線丸がブロック領域Ｄのマイクロミラー62により描画された描画点を示す。
【０２８８】
上記のように各ブロック領域Ａ〜Ｄにおいて、各分割領域１〜３毎に制御信号を転送して順次リセットするとともに、各ブロック領域Ａ〜Ｄの各分割領域１〜３のリセットのタイミングを、予め設定された時間だけずらすことによって、図４６（Ｂ）に示すように、たとえば、ブロック領域Ａのマイクロミラー62による描画点の間に同一の間隔をおいてブロック領域Ｂ、ブロック領域Ｃおよびブロック領域Ｄのマイクロミラー62による描画点を配置するようにすることができるとともに、図４６（Ｂ）に示す変調時間だけフォトレジスト150ａが移動する間に各ブロック領域Ａ〜Ｄのマイクロミラー62による描画点を３回繰り返して描画するようにすることができる。この場合、各分割領域１〜３のリセットタイミングを直接的に制御または設定してもよいし、各ブロック領域Ａ〜Ｄのリセットタイミングの制御を通じて、これらの各ブロック領域Ａ〜Ｄにおける各分割領域１〜３のリセットタイミングを制御または設定するようにしてもよい。なお、図４６（Ｂ）における変調時間の間に描画されるブロック領域Ａ〜Ｄの描画点は、同じフレームで描画されたものではなく、それぞれ異なるフレームで描画された点である。また、上記のようにブロック領域Ａの描画点の間に同一の間隔をおいてブロック領域Ｂ、ブロック領域Ｃおよびブロック領域Ｄの描画点を配置するようにするには、上記第１の実施形態と同様に、各ブロック領域Ａ〜Ｄの変調のタイミングのずれに合わせてフォトレジスト150ａの副走査速度、つまりステージ152の移動速度を制御するようにしてもよい。
【０２８９】
本実施形態においては、各ブロック領域を、副走査方向について複数の分割領域にさらに分割し、各ブロック領域において分割領域毎に制御信号を順次転送するとともに、その転送終了時点から順次変調を行うようにしているので、各ブロック領域において、１つの分割領域のリセット時間の間にその他の分割領域への画像データの転送を行うようにすることができるので、各ブロック領域の変調速度をさらに高速化することができる。具体的には、４つのブロック領域を３つの分割領域に分割するようにしているので、従来技術と比較すると（解像度は同じと考えた場合）、変調速度を１２倍にすることができる。
【０２９０】
なお、本実施形態の露光装置においては、上記のように各ブロック領域Ａ〜Ｄの各ブロック領域１〜３の変調のタイミングをずらすようにしたが、必ずしもずらす必要はなく、図４７に示すように、各ブロック領域Ａ〜Ｄの各分割領域１〜３へ同時に制御信号を転送し、各ブロック領域Ａ〜Ｄの各分割領域１〜３におけるマイクロミラー62を同時にリセットするようにしてもよい。
【０２９１】
また、各ブロック領域Ａ〜Ｄの各分割領域１〜３の描画点が重なり合うように、各ブロック領域Ａ〜Ｄの各分割領域１〜３の変調のタイミングあるいはステージ152の移動速度を制御するようにしてもよい。
【０２９２】
また、上記実施形態においては、ＤＭＤ50を、走査方向について複数のブロック領域Ａ〜Ｄに分割するようにしたが、走査方向に限らず、たとえば走査方向に直交する方向に分割して複数のブロック領域とし、そのブロック領域毎に並列に制御信号を転送するようにしてもよい。そして、上記のように分割したブロック領域をさらに走査方向または走査方向に直交する方向に分割して分割領域とし、上記実施形態と同様にして分割領域毎に制御信号の転送および変調を行うようにしてもよい。
【０２９３】
また、上記実施形態では、空間光変調素子としてＤＭＤを備えた露光装置について説明したが、このような反射型空間光変調素子の他に、透過型空間光変調素子を使用することもできる。
【０２９４】
また、上記実施形態では、いわゆるフラッドベッドタイプの露光装置を例に挙げたが、感光材料が巻きつけられるドラムを有する、いわゆるアウタードラムタイプの露光装置としてもよい。
【０２９５】
また、上記実施形態の露光対象である感光性材料はフォトレジスト150ａに限らず、プリント基板や、ディスプレイ用のフィルタであってもよい。また、フォトレジスト150ａの形状は、シート状のものであっても、長尺状のもの（フレキシブル基板など）であってもよい。
【図面の簡単な説明】
【０２９６】
【図１】本発明の一実施形態である露光装置の外観を示す斜視図
【図２】図１の露光装置のスキャナの構成を示す斜視図
【図３】（Ａ）はフォトレジストに形成される露光済み領域を示す平面図、（Ｂ）は各露光ヘッドによる露光エリアの配列を示す図
【図４】図１の露光装置の露光ヘッドの概略構成を示す斜視図
【図５】上記露光ヘッドの断面図
【図６】デジタルマイクロミラーデバイス（ＤＭＤ）の構成を示す部分拡大図
【図７】（Ａ）および（Ｂ）はＤＭＤの動作を説明するための説明図
【図８】（Ａ）および（Ｂ）は、ＤＭＤを傾斜配置しない場合と傾斜配置する場合とで、露光ビームの配置および走査線を比較して示す概略図であり、（Ｃ）は露光ビームスポットの重なりを示す説明図
【図９ａ】ファイバアレイ光源の構成を示す斜視図
【図９ｂ】ファイバアレイ光源のレーザ出射部における発光点の配列を示す正面図
【図１０】マルチモード光ファイバの構成を示す図
【図１１】合波レーザ光源の構成を示す平面図
【図１２】レーザモジュールの構成を示す平面図
【図１３】図１２に示すレーザモジュールの構成を示す側面図
【図１４】図１２に示すレーザモジュールの構成を示す部分正面図
【図１５】上記露光装置の電気的構成を示すブロック図
【図１６】（Ａ）および（Ｂ）は、ＤＭＤの使用領域の例を示す図
【図１７】感光性材料の複数の分割領域に対して、露光処理を並列的に行うための構成の一例を示すブロック図
【図１８】図１７の構成によりなされる露光処理の流れをフローチャート
【図１９】本発明の露光方法が適用されるＬＣＤ−ＴＦＴパネルの例を示す概略側断面図
【図２０】本発明の露光方法と従来の露光方法における工程を比較して示す流れ図
【図２１】本発明の露光方法が適用されるＬＣＤ−ＣＦパネルの一部を示す概略側断面図
【図２２】本発明の露光方法が適用されるＬＣＤ−ＣＦパネルの別の部分を示す概略側断面図
【図２３】本発明の露光方法を適用したアクティブマトリクス基板作製工程を示す概略図
【図２４】上記アクティブマトリクス基板作製工程を示す概略図
【図２５】上記アクティブマトリクス基板作製工程を示す概略図
【図２６】上記アクティブマトリクス基板作製工程を示す概略図
【図２７】上記アクティブマトリクス基板作製工程を示す概略図
【図２８】上記アクティブマトリクス基板作製工程を示す概略図
【図２９】上記アクティブマトリクス基板作製工程を示す概略図
【図３０】本発明の別の実施形態による画像記録装置の概略斜視図
【図３１】図３０の画像記録装置の概略側面図
【図３２】（Ａ）は図３０の画像記録装置の露光ヘッドユニットによる露光領域を示す平面図であり、（Ｂ）はヘッドアッセンブリの配列パターンを示す平面図
【図３３】単一のヘッドアッセンブリにおけるドットパターンの配列状態を示す平面図
【図３４】図３０の画像記録装置において感光性材料として適用されるプリント配線基板の一部を示す正面図
【図３５】図３４のVI−VI線に沿った部分の断面形状を、原基板から、露光、現像、エッチングの各処理によってプリント配線基板が仕上がるまでの過程について示す模式図
【図３６】露光量と感度との関係を示す特性図
【図３７】図３０の画像露光装置において、露光ステージを往復移動させる往路、復路で露光量を変える制御を行う部分を示すブロック図
【図３８】図３０の画像露光装置において、往路、復路露光処理がなされるときの露光ステージの移動を示す説明図
【図３９】図３０の画像露光装置において、露光ステージの移動を検出する手段が発生する信号の波形を示す図
【図４０】画像データ分割処理と、分割した画像データ処理と、往路、復路露光制御の流れとを示すフローチャート
【図４１】露光量を往路、復路露光処理で変化させた場合の露光ステージの移動及び光量制御処理を示す説明図
【図４２】ＤＭＤにおけるブロック領域を示す図
【図４３】ＤＭＤのブロック領域毎に設けられた制御信号転送部の概略構成図
【図４４】ＤＭＤの各ブロック領域における制御信号の転送および変調のタイミングを示す図（Ａ）、図８（Ａ）に示すタイミングにより描画した場合における描画点に一例を示す図（Ｂ）
【図４５】ＤＭＤの各ブロック領域における制御信号の転送および変調のタイミングのその他の例を示す図
【図４６】ＤＭＤの各ブロック領域の各分割領域における制御信号の転送および変調のタイミングを示す図（Ａ）、図１０（Ａ）に示すタイミングにより描画した場合における描画点に一例を示す図（Ｂ）
【図４７】ＤＭＤの各ブロック領域の各分割領域における制御信号の転送および変調のタイミングのその他の例を示す図
【図４８】従来の露光装置における制御信号の転送および変調のタイミングを示す図（Ａ）、図１２（Ａ）に示すタイミングにより描画した場合における描画点に一例を示す図（Ｂ）
【図４９】本発明の露光装置においてなされる各処理の所要時間例を示す説明図
【符号の説明】
【０２９７】
ＬＤ１〜ＬＤ７    ＧａＮ系半導体レーザ
30、31    マルチモード光ファイバ
50    デジタル・マイクロミラー・デバイス（ＤＭＤ）
51    拡大結像光学系
52、54    第１結像光学系のレンズ
53    露光ビームスポット
55    マイクロレンズアレイ
57、58    第２結像光学系のレンズ
59    マスク板
59ａ    マスク
66    レーザモジュール
66    ファイバアレイ光源
72    ロッドインテグレータ
150    ガラス基板
150ａ    フォトレジスト
152    ステージ
162    スキャナ
166    露光ヘッド
168    露光エリア
170    露光済み領域
300    全体制御部
301    変調回路
302    コントローラ
304    ステージ駆動装置
504    アクリル樹脂層
622    スペーサ
624    液晶配向制御用突起
614Ａ  透過型画素部
614Ｂ  反射型画素部
708    レジストパターン
712    フォトレジスト層
1010    画像露光装置
1012    枠体
1012Ａ    筐体部
1012Ｂ    ステージ部
1014    開閉蓋
1016    露光ステージ
1018    定盤
1022    感光性材料
1022Ｐ    プリント配線基板（感光性材料）
1028    露光ヘッドユニット（露光ヘッド）
1028Ａ    ヘッドアッセンブリ
1028Ｂ    露光エリア
1031    光源ユニット
1032    アライメントユニット
1100    プリント配線パターン（高感度部）
1102    スルーホール（低感度部）
1106    銅箔
1107    支持体
1108    第二感光層
1110    第一感光層
1112    データ分離部（データ分離手段）
1114    スルーホールデータ記憶メモリ
1116    配線パターンデータ記憶メモリ
1118    露光量演算部（露光量演算手段）
1120    露光時間演算部
1122    移動制御部（露光制御手段）
1124    トリガ記憶メモリ
1126    ドットパターンデータ変換部
1128    露光制御部（露光制御手段）
1130    ＤＭＤドライバ
1132    ＤＭＤ
1136    光源ドライバ
1138    ＬＤ（半導体レーザ）
【図１】
2007003861.tif 000007
【図２】
2007003861.tif 000008
【図３】
2007003861.tif 000009
【図４】
2007003861.tif 000010
【図５】
2007003861.tif 000011
【図６】
2007003861.tif 000012
【図７】
2007003861.tif 000013
【図８】
2007003861.tif 000014
【図９ａ】
2007003861.tif 000015
【図９ｂ】
2007003861.tif 000016
【図１０】
2007003861.tif 000017
【図１１】
2007003861.tif 000018
【図１２】
2007003861.tif 000019
【図１３】
2007003861.tif 000020
【図１４】
2007003861.tif 000021
【図１５】
2007003861.tif 000022
【図１６】
2007003861.tif 000023
【図１７】
2007003861.tif 000024
【図１８】
2007003861.tif 000025
【図１９】
2007003861.tif 000026
【図２０】
2007003861.tif 000027
【図２１】
2007003861.tif 000028
【図２２】
2007003861.tif 000029
【図２３】
2007003861.tif 000030
【図２４】
2007003861.tif 000031
【図２５】
2007003861.tif 000032
【図２６】
2007003861.tif 000033
【図２７】
2007003861.tif 000034
【図２８】
2007003861.tif 000035
【図２９】
2007003861.tif 000036
【図３０】
2007003861.tif 000037
【図３１】
2007003861.tif 000038
【図３２】
2007003861.tif 000039
【図３３】
2007003861.tif 000040
【図３４】
2007003861.tif 000041
【図３５】
2007003861.tif 000042
【図３６】
2007003861.tif 000043
【図３７】
2007003861.tif 000044
【図３８】
2007003861.tif 000045
【図３９】
2007003861.tif 000046
【図４０】
2007003861.tif 000047
【図４１】
2007003861.tif 000048
【図４２】
2007003861.tif 000049
【図４３】
2007003861.tif 000050
【図４４】
2007003861.tif 000051
【図４５】
2007003861.tif 000052
【図４６】
2007003861.tif 000053
【図４７】
2007003861.tif 000054
【図４８】
2007003861.tif 000055
【図４９】
2007003861.tif 000056